(57)【要約】ワイヤレス通信のための方法、システム、及びデバイスが説明される。１つの方法は、第１の送信時間間隔（ＴＴＩ）と第１のＴＴＩより短い第２のＴＴＩとに関連付けられた少なくとも１つの変調次数についてのユーザ機器（ＵＥ）の能力を決定することと、ＵＥの能力を決定することに基づいて、ＵＥ能力メッセージを送信することと、ＵＥ能力メッセージに基づく、パラメータと変調コーディング方式（ＭＣＳ）インデックスとを含むメッセージを受信することと、第１のＴＴＩ及び第２のＴＴＩに関連付けられた送信を基地局に通信するための変調テーブルを選択することと、を行うＵＥを含み得る。【選択図】図３
2021512548.tif 000002
【特許請求の範囲】
【請求項１】
ワイヤレス通信のための方法であって、
第１の送信時間間隔（ＴＴＩ）と前記第１のＴＴＩより短い第２のＴＴＩとに関連付けられた少なくとも１つの変調次数についての前記ＵＥの能力を決定することと、
前記ＵＥの能力を決定することに少なくとも部分的に基づいて、ＵＥ能力メッセージを送信することと、
前記ＵＥ能力メッセージに少なくとも部分的に基づく、パラメータと変調コーディング方式（ＭＣＳ）インデックスとを備えるメッセージを受信することと、
前記メッセージを受信することに少なくとも部分的に基づいて、前記第１のＴＴＩ及び前記第２のＴＴＩに関連付けられた送信を基地局に通信するための変調テーブルを選択することと、
を備える、方法。
【請求項２】
前記パラメータが有効にされるか又は無効にされるかを決定すること、をさらに備え、
前記変調テーブルを選択することは、前記パラメータが有効にされるかどうかを決定することに少なくとも部分的に基づく、
請求項１に記載の方法。
【請求項３】
短縮物理ダウンリンク制御チャネル（ｓＰＤＣＣＨ）を介して前記メッセージを受信すること、をさらに備え、
前記メッセージは、リソースの割り振り、又は１つ又は複数の物理チャネルについての構成情報、又はチャネル品質インジケータ（ＣＱＩ）報告、又はそれらの任意の組み合わせをさらに備え、
前記構成情報は、前記第１のＴＴＩ及び前記第２のＴＴＩについての送信構成を備え、前記ＣＱＩ報告は、前記構成情報に少なくとも部分的に基づく、
請求項１に記載の方法。
【請求項４】
前記ｓＰＤＣＣＨに関連付けられたダウンリンク制御情報（ＤＣＩ）フォーマットを決定することと、
前記ｓＰＤＣＣＨに関連付けられた巡回冗長検査（ＣＲＣ）が前記ＵＥのセル無線ネットワーク一時識別子（Ｃ−ＲＮＴＩ）を用いてスクランブルされると決定することと、
をさらに備える、請求項３に記載の方法。
【請求項５】
前記パラメータが有効にされると決定することに少なくとも部分的に基づいて、前記ＤＣＩフォーマットがＤＣＩフォーマットのリストからの許容可能なＤＣＩフォーマットであると決定することと、
前記ＣＲＣが前記ＵＥの前記Ｃ−ＲＮＴＩを用いてスクランブルされると決定することと、
前記ＭＣＳインデックスに少なくとも部分的に基づいて、前記変調テーブル中で変調次数を決定することと、
をさらに備え、
前記変調テーブルを選択することは、前記パラメータが有効にされるか、又は前記ＤＣＩフォーマットが前記許容可能なＤＣＩフォーマットであるか、又は前記ＣＲＣが前記Ｃ−ＲＮＴＩを用いてスクランブルされるか、又はそれらの任意の組み合わせである、と決定することに少なくとも部分的に基づく、
請求項４に記載の方法。
【請求項６】
前記ＭＣＳインデックスに少なくとも部分的に基づいて、前記選択された変調テーブル中で変調次数を決定すること、をさらに備え、
前記変調テーブルを選択することは、前記パラメータが無効にされると決定することに少なくとも部分的に基づく、
請求項３に記載の方法。
【請求項７】
前記第２のＴＴＩは、短縮ＴＴＩ（ｓＴＴＩ）である、請求項１に記載の方法。
【請求項８】
前記第２のＴＴＩについての前記ＵＥの能力を示す、前記ＵＥ能力メッセージとは別個である第２のＵＥ能力メッセージを送信すること、
をさらに備える、請求項１に記載の方法。
【請求項９】
前記ＵＥ能力メッセージは、前記第１のＴＴＩと前記第２のＴＴＩとの両方についてのＵＥの能力を備える、請求項１に記載の方法。
【請求項１０】
前記第２のＴＴＩは、複数の短縮ＴＴＩ（ｓＴＴＩ）を備え、前記ＵＥ能力メッセージは、前記複数のｓＴＴＩに関連付けられる、請求項１に記載の方法。
【請求項１１】
前記複数のｓＴＴＩのうちの少なくともいくつかのｓＴＴＩについてのＵＥ能力メッセージを送信すること、をさらに備え、
前記パラメータと前記ＭＣＳインデックスとは、前記複数のｓＴＴＩに関連付けられるか、又は各ｓＴＴＩは、別個のパラメータとＭＣＳインデックスとに関連付けられる、
請求項１０に記載の方法。
【請求項１２】
前記複数のｓＴＴＩのうちの少なくともサブセットは、可変長を備える、請求項１０に記載の方法。
【請求項１３】
前記ＵＥは、前記第１のＴＴＩ及び前記第２のＴＴＩに関連付けられた前記送信のためのデフォルト変調テーブルを用いて構成される、請求項１に記載の方法。
【請求項１４】
変調テーブルインジケータのための情報要素（ＩＥ）フィールドを備えるダウンリンク制御情報（ＤＣＩ）を受信することと、
前記ＩＥフィールドのビット値に少なくとも部分的に基づいて、前記変調テーブルを識別することと、
をさらに備え、
前記変調テーブルを選択することは、前記識別することに少なくとも部分的に基づく、
更に備える、請求項１に記載の方法。
【請求項１５】
前記ＵＥに関連付けられたＣ−ＲＮＴＩを備えるメッセージについてダウンリンク制御チャネルを監視すること、をさらに備え、
前記変調テーブルを選択することは、さらに、前記Ｃ−ＲＮＴＩを備える前記メッセージに少なくとも部分的に基づく、
請求項１に記載の方法。
【請求項１６】
前記ＭＣＳインデックスに少なくとも部分的に基づいて、前記選択された変調テーブル中で変調次数を決定することと、
チャネル品質インジケータ（ＣＱＩ）報告構成に少なくとも部分的に基づいて、ＣＱＩテーブルを選択することと、
をさらに備え、
ＣＱＩ報告に関連付けられた前記ＣＱＩ報告構成は、前記ＣＱＩテーブルが前記第１のＴＴＩ若しくは前記第２のＴＴＩ、又はその両方に適用されることを示す、
請求項１に記載の方法。
【請求項１７】
前記パラメータは、６４ＱＡＭ、２５６ＱＡＭ、又は１０２４ＱＡＭについてのＵＥの能力のインジケーションを備える、請求項１に記載の方法。
【請求項１８】
前記送信は、ダウンリンク送信又はアップリンク送信である、請求項１に記載の方法。
【請求項１９】
前記受信されたＭＣＳインデックスに少なくとも部分的に基づいて、前記アップリンク送信のための前記変調テーブルを選択することと、
前記受信されたメッセージに関連付けられたダウンリンク制御情報（ＤＣＩ）フォーマットおよび前記ＭＣＳインデックスに少なくとも部分的に基づいて、前記アップリンク送信のための前記選択された変調テーブル中で変調次数を決定することと、
をさらに備える、請求項１８に記載の方法。
【請求項２０】
半永続的スケジューリング又はランダムアクセス応答許可に少なくとも部分的に基づいて、前記アップリンク送信のための前記変調次数を決定すること、
をさらに備える、請求項１に記載の方法。
【請求項２１】
前記パラメータは、上位レイヤパラメータである、請求項１に記載の方法。
【請求項２２】
前記ＵＥ能力メッセージとは別個である第２のＵＥ能力メッセージを送信すること、をさらに備え、
前記ＵＥ能力メッセージは、アップリンク用であり、前記第２のＵＥ能力メッセージは、ダウンリンク用である、
請求項１に記載の方法。
【請求項２３】
ワイヤレス通信のための方法であって、
第１の送信時間間隔（ＴＴＩ）と前記第１のＴＴＩより短い第２のＴＴＩとに関連付けられた少なくとも１つの変調次数についてのＵＥ能力メッセージを受信することと、
前記ＵＥ能力メッセージに少なくとも部分的に基づいて、変調テーブルに関連付けられたパラメータを構成することと、
前記ＵＥ能力メッセージに少なくとも部分的に基づいて、変調コーディング方式（ＭＣＳ）インデックスを決定することと、
前記パラメータと前記ＭＣＳインデックスとを備えるメッセージを送信することと、
を備える、方法。
【請求項２４】
前記ＵＥ能力メッセージに少なくとも部分的に基づいて、前記パラメータを有効にすること、をさらに備え、
前記パラメータを構成することは、前記有効にすることを備える、
請求項２３に記載の方法。
【請求項２５】
前記ＵＥ能力メッセージに少なくとも部分的に基づいて、前記パラメータを無効にすること、をさらに備え、
前記パラメータを構成することは、前記無効にすることを備える、
請求項２３に記載の方法。
【請求項２６】
短縮物理ダウンリンク制御チャネル（ｓＰＤＣＣＨ）を介して前記メッセージを送信すること、
をさらに備え、
前記メッセージは、リソースの割り振り、又は１つ又は複数の物理チャネルについての構成情報、又はチャネル品質インジケータ（ＣＱＩ）報告、又はそれらの任意の組み合わせをさらに備え、
前記構成情報は、前記第１のＴＴＩ及び第２のＴＴＩについての送信構成を備え、前記ＣＱＩ報告は、前記構成情報に少なくとも部分的に基づく、
請求項２３に記載の方法。
【請求項２７】
前記第２のＴＴＩについての能力を示す、前記ＵＥ能力メッセージとは別個である第２のＵＥ能力情報メッセージを受信すること、
をさらに備える、請求項２３に記載の方法。
【請求項２８】
前記ＵＥ能力メッセージとは別個である第２のＵＥ能力メッセージを受信すること、をさらに備え、
前記ＵＥ能力メッセージは、アップリンク用であり、前記第２のＵＥ能力メッセージは、ダウンリンク用である、
請求項２３に記載の方法。
【請求項２９】
ワイヤレス通信のための装置であって、
第１の送信時間間隔（ＴＴＩ）と前記第１のＴＴＩより短い第２のＴＴＩとに関連付けられた少なくとも１つの変調次数についての前記装置の能力を決定するための手段と、
前記ＵＥの能力を決定することに少なくとも部分的に基づいて、ＵＥ能力メッセージを送信するための手段と、
前記ＵＥ能力メッセージに少なくとも部分的に基づく、パラメータと変調コーディング方式（ＭＣＳ）インデックスとを備えるメッセージを受信するための手段と、
前記メッセージを受信することに少なくとも部分的に基づいて、前記第１のＴＴＩ及び前記第２のＴＴＩに関連付けられた送信を基地局に通信するための変調テーブルを選択するための手段と、
を備える、装置。
【請求項３０】
ワイヤレス通信のための装置であって、
第１の送信時間間隔（ＴＴＩ）と前記第１のＴＴＩより短い第２のＴＴＩとに関連付けられた少なくとも１つの変調次数についてのＵＥ能力メッセージを受信するための手段と、
前記ＵＥ能力メッセージに少なくとも部分的に基づいて、変調テーブルに関連付けられたパラメータを構成するための手段と、
前記ＵＥ能力メッセージに少なくとも部分的に基づいて、変調コーディング方式（ＭＣＳ）インデックスを決定するための手段と、
前記パラメータと前記ＭＣＳインデックスとを備えるメッセージを送信するための手段と、
を備える、装置。
【発明の詳細な説明】
【関連出願の相互参照】
【０００１】
[0001]本特許出願は、２０１９年１月３１日に出願された「Modulation Table Determination And Channel Quality Indicator Reporting」と題されたHosseini他による米国特許出願第１６／２６４，６２６号、及び２０１８年２月１日に出願された「Modulation Table Determination and Channel Quality Indicator Reporting」と題されたHosseini他による米国仮特許出願第６２／６２５，３００号の利益を主張し、それらの各々は、本出願の譲受人に譲渡され、本明細書に明確に組み込まれる。
【背景技術】
【０００２】
[0002]以下は、一般にワイヤレス通信に関し、より詳細には、変調テーブル決定及びチャネル品質インジケータ（ＣＱＩ）報告に関する。
【０００３】
[0003]ワイヤレス通信システムは、音声、ビデオ、パケットデータ、メッセージング、ブロードキャスト、等などの様々なタイプの通信コンテンツを提供するために幅広く展開されている。これらのシステムは、利用可能なシステムリソース（例えば、時間、周波数、及び電力）を共有することによって複数のユーザとの通信をサポートすることが可能であり得る。そのような多元接続システムの例は、ロングタームエボリューション（ＬＴＥ（登録商標））システム、ＬＴＥアドバンスト（ＬＴＥ−Ａ）システム、又はＬＴＥ−Ａプロシステムなどの第４世代（４Ｇ）システムと、ニューラジオ（ＮＲ）システムと呼ばれ得る第５世代（５Ｇ）システムとを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、又は離散フーリエ変換拡散ＯＦＤＭ（ＤＦＴ−Ｓ−ＯＦＤＭ）などの技術を用い得る。ワイヤレス多元接続通信システムは、いくつかの基地局又はネットワークアクセスノードを含み得、各々が、別名ユーザ機器（ＵＥ）としても知られ得る複数の通信デバイスのための通信を同時にサポートする。
【０００４】
[0004]基地局は、送信時間間隔（ＴＴＩ）中の送信のためのリソースを割り振るために、ＵＥと通信し得る。リソース（例えば、時間及び周波数リソース）の一部分は、ＴＴＩ中のこの情報の送信（例えば、リソース割り振り）のために指定され得る。基地局はまた、ＵＥに情報を提供するために、異なる通信チャネルを使用し得る。例えば、基地局は、制御チャネルを使用してＵＥに制御情報を送信し、データチャネルを使用してＵＥにデータを送信し得る。いくつかのケースでは、ＴＴＩは、短縮ＴＴＩ（ｓＴＴＩ：shortened TTI）であり得る。１つ又は複数のｓＴＴＩについての送信の効率を改善することは、ワイヤレス通信システムに信頼性を提供し得る。
【発明の概要】
【０００５】
[0005]説明される技法は、変調テーブル決定及びチャネル品質インジケータ（ＣＱＩ）報告をサポートする改善された方法、システム、デバイス、又は装置に関する。一般に、説明される技法は、短縮物理ダウンリンク制御チャネル（ｓＰＤＣＣＨ：shortened physical downlink control channel）、短縮物理アップリンク共有チャネル（ｓＰＵＳＣＨ：shortened physical uplink shared channel）、及びｓＴＴＩ ＣＱＩ報告のための変調テーブル決定を提供する。ＵＥは、１つ又は複数のＴＴＩ、１つ又は複数のｓＴＴＩ、又はその両方を含み得る、１つ又は複数のＴＴＩに関連付けられた少なくとも１つの変調次数（modulation order）についてのＵＥの能力を決定し得る。ＵＥは、基地局にＵＥ能力メッセージを送信し得る。いくつかのケースでは、ＵＥは、単一のＵＥ能力メッセージ中で、任意のｓＴＴＩを含む、１つ又は複数のＴＴＩに関連付けられた１つ又は複数の能力を提供し得る。
【０００６】
[0006]代替として、ＵＥは、それぞれ、ＴＴＩ及びｓＴＴＩについての別個のＵＥ能力メッセージを送信し得る。いくつかのケースでは、能力は、１つ又は複数のＴＴＩ及び／又は１つ又は複数のｓＴＴＩのうちの１つ又は各々のためにＵＥによってサポートされる変調の次数又は関連する変調方式（それは、次に、変調及びコーディング方式（ＭＣＳ）の一部であり得る）を示し得る。基地局は、ＵＥ能力メッセージを受信し、上位レイヤパラメータであり得るパラメータを構成し得る。パラメータは、ＵＥが基地局にＣＱＩ情報（例えば、フィードバック）を提供するために使用し得る複数の潜在的なＣＱＩテーブルの中のある１つのＣＱＩテーブルの適用可能性を示し得る。基地局は、ＵＥにパラメータとＭＣＳインデックスとを含むメッセージを送信し得る。いくつかのケースでは、パラメータは、各セルについて、及び１つのサブセット又は全てのサブフレームについて構成され得る。ＵＥは、（１つ又は複数のｓＴＴＩを含み得る）１つ又は複数のＴＴＩに関連付けられた送信を通信するための変調テーブルを受信及び選択し、構成されたパラメータに基づいてＣＱＩテーブルを選択することによって基地局にＣＱＩフィードバックを提供し得る。
【０００７】
[0007]ＵＥによるワイヤレス通信のための方法。方法は、第１のＴＴＩと第１のＴＴＩより短い第２のＴＴＩとに関連付けられた少なくとも１つの変調次数についてのＵＥの能力を決定することと、ＵＥの能力を決定することに少なくとも部分的に基づいて、ＵＥ能力メッセージを送信することと、ＵＥ能力メッセージに少なくとも部分的に基づくパラメータとＭＣＳインデックスとを備えるメッセージを受信することと、メッセージを受信することに少なくとも部分的に基づいて、第１のＴＴＩ及び第２のＴＴＩに関連付けられた送信を基地局に通信するための変調テーブルを選択することと、を含み得る。
【０００８】
[0008]ワイヤレス通信のための装置が説明される。装置は、第１のＴＴＩと第１のＴＴＩより短い第２のＴＴＩとに関連付けられた少なくとも１つの変調次数についての装置の能力を決定するための手段と、ＵＥの能力を決定することに少なくとも部分的に基づいて、ＵＥ能力メッセージを送信するための手段と、ＵＥ能力メッセージに少なくとも部分的に基づくパラメータとＭＣＳインデックスとを備えるメッセージを受信するための手段と、メッセージを受信することに少なくとも部分的に基づいて、第１のＴＴＩ及び第２のＴＴＩに関連付けられた送信を基地局に通信するための変調テーブルを選択するための手段と、を含み得る。
【０００９】
[0009]ワイヤレス通信のための別の装置が説明される。装置は、プロセッサと、プロセッサと電子通信状態にあるメモリと、メモリ中に記憶された命令とを含み得る。命令は、プロセッサに、第１のＴＴＩと第１のＴＴＩより短い第２のＴＴＩとに関連付けられた少なくとも１つの変調次数についての装置の能力を決定することと、ＵＥの能力を決定することに少なくとも部分的に基づいて、ＵＥ能力メッセージを送信することと、ＵＥ能力メッセージに少なくとも部分的に基づくパラメータとＭＣＳインデックスとを備えるメッセージを受信することと、メッセージを受信することに少なくとも部分的に基づいて、第１のＴＴＩ及び第２のＴＴＩに関連付けられた送信を基地局に通信するための変調テーブルを選択することと、を行わせるように動作可能であり得る。
【００１０】
[0010]ＵＥにおけるワイヤレス通信のための非一時的コンピュータ可読媒体が説明される。非一時的コンピュータ可読媒体は、プロセッサに、第１のＴＴＩと第１のＴＴＩより短い第２のＴＴＩとに関連付けられた少なくとも１つの変調次数についてのＵＥの能力を決定することと、ＵＥの能力を決定することに少なくとも部分的に基づいて、ＵＥ能力メッセージを送信することと、ＵＥ能力メッセージに少なくとも部分的に基づくパラメータとＭＣＳインデックスとを備えるメッセージを受信することと、メッセージを受信することに少なくとも部分的に基づいて、第１のＴＴＩ及び第２のＴＴＩに関連付けられた送信を基地局に通信するための変調テーブルを選択することと、を行わせるように動作可能な命令を含み得る。
【００１１】
[0011]上述された方法、装置、及び非一時的コンピュータ可読媒体のいくつかの例は、パラメータが有効にされるか又は無効にされるかを決定するためのプロセス、特徴、手段、又は命令を更に含み得、変調テーブルを選択することは、パラメータが有効にされるかどうかを決定することに少なくとも部分的に基づく。
【００１２】
[0012]上述された方法、装置、及び非一時的コンピュータ可読媒体のいくつかの例は、ｓＰＤＣＣＨを介してメッセージを受信するためのプロセス、特徴、手段、又は命令を更に含み得る。上述された方法、装置、及び非一時的コンピュータ可読媒体のいくつかの例では、メッセージは、リソースの割り振り、又は１つ又は複数の物理チャネルについての構成情報、又はＣＱＩ報告、又はそれらの任意の組み合わせを更に備える。
【００１３】
[0013]上述された方法、装置、及び非一時的コンピュータ可読媒体のいくつかの例では、構成情報は、第１のＴＴＩ及び第２のＴＴＩについての送信構成を備え、ＣＱＩ報告は、構成情報に少なくとも部分的に基づく。
【００１４】
[0014]上述された方法、装置、及び非一時的コンピュータ可読媒体のいくつかの例は、ｓＰＤＣＣＨに関連付けられたダウンリンク制御情報（ＤＣＩ）フォーマットを決定することと、ｓＰＤＣＣＨに関連付けられた巡回冗長検査（ＣＲＣ）がＵＥのセル無線ネットワーク一時識別子（Ｃ−ＲＮＴＩ）を用いてスクランブルされると決定することと、を行うためのプロセス、特徴、手段、又は命令を更に含み得る。
【００１５】
[0015]上述された方法、装置、及び非一時的コンピュータ可読媒体のいくつかの例は、パラメータが有効にされると決定することに少なくとも部分的に基づいて、ＤＣＩフォーマットがＤＣＩフォーマットのリストからの許容可能なＤＣＩフォーマットであると決定することと、ＣＲＣがＵＥのＣ−ＲＮＴＩを用いてスクランブルされると決定することと、ＭＣＳインデックスに少なくとも部分的に基づいて、変調テーブル中で変調次数を決定することとを行うためのプロセス、特徴、手段、又は命令を更に含み得る。上述された方法、装置、及び非一時的コンピュータ可読媒体のいくつかの例では、変調テーブルを選択することは、パラメータが有効にされるか、又はＤＣＩフォーマットが許容可能なＤＣＩフォーマットであるか、又はＣＲＣがＣ−ＲＮＴＩを用いてスクランブルされるか、又はそれらの任意の組み合わせであると決定することに少なくとも部分的に基づく。
【００１６】
[0016]上述された方法、装置、及び非一時的コンピュータ可読媒体のいくつかの例は、ＭＣＳインデックスに少なくとも部分的に基づいて、選択された変調テーブル中で変調次数を決定するためのプロセス、特徴、手段、又は命令を更に含み得る。上述された方法、装置、及び非一時的コンピュータ可読媒体のいくつかの例では、変調テーブルを選択することは、パラメータが無効にされると決定することに少なくとも部分的に基づく。
【００１７】
[0017]上述された方法、装置、及び非一時的コンピュータ可読媒体のいくつかの例では、第２のＴＴＩは、ｓＴＴＩである。
【００１８】
[0018]上述された方法、装置、及び非一時的コンピュータ可読媒体のいくつかの例は、第２のＴＴＩについてのＵＥの能力を示す、ＵＥ能力メッセージとは別個である第２のＵＥ能力情報メッセージを送信するためのプロセス、特徴、手段、又は命令を更に含み得る。
【００１９】
[0019]上述された方法、装置、及び非一時的コンピュータ可読媒体のいくつかの例では、ＵＥ能力メッセージは、第１のＴＴＩと第２のＴＴＩとの両方についてのＵＥの能力を備える。
【００２０】
[0020]上述された方法、装置、及び非一時的コンピュータ可読媒体のいくつかの例では、第２のＴＴＩは、複数のｓＴＴＩを備える。
【００２１】
[0021]上述された方法、装置、及び非一時的コンピュータ可読媒体のいくつかの例では、ＵＥ能力メッセージは、複数のｓＴＴＩに関連付けられる。
【００２２】
[0022]上述された方法、装置、及び非一時的コンピュータ可読媒体のいくつかの例は、複数のｓＴＴＩのうちの少なくともいくつかのｓＴＴＩについてのＵＥ能力メッセージを送信するためのプロセス、特徴、手段、又は命令を更に含み得る。上述された方法、装置、及び非一時的コンピュータ可読媒体のいくつかの例では、パラメータとＭＣＳインデックスとは、複数のｓＴＴＩに関連付けられるか、又は各ｓＴＴＩは、別個のパラメータおよびＭＣＳインデックスに関連付けられる。
【００２３】
[0023]上述された方法、装置、及び非一時的コンピュータ可読媒体のいくつかの例では、ｓＴＴＩの少なくとも１つのサブセットは、可変長を備える。
【００２４】
[0024]上述された方法、装置、及び非一時的コンピュータ可読媒体のいくつかの例では、ＵＥは、第１のＴＴＩ及び第２のＴＴＩに関連付けられた送信のためのデフォルト変調テーブルで構成される。
【００２５】
[0025]上述された方法、装置、及び非一時的コンピュータ可読媒体のいくつかの例は、変調テーブルインジケータのための情報要素（ＩＥ）フィールドを備えるＤＣＩを受信することと、ＩＥフィールドのビット値に少なくとも部分的に基づいて、変調テーブルを識別することとを行うためのプロセス、特徴、手段、又は命令を更に含み得る。上述された方法、装置、及び非一時的コンピュータ可読媒体のいくつかの例では、変調テーブルを選択することは、識別することに少なくとも部分的に基づく。
【００２６】
[0026]上述された方法、装置、及び非一時的コンピュータ可読媒体のいくつかの例は、ＵＥに関連付けられたＣ−ＲＮＴＩを備えるメッセージについてダウンリンク制御チャネルを監視するためのプロセス、特徴、手段、又は命令を更に含み得る。上述された方法、装置、及び非一時的コンピュータ可読媒体のいくつかの例では、変調テーブルを選択することは、Ｃ−ＲＮＴＩを備えるメッセージに少なくとも部分的に更に基づく。
【００２７】
[0027]上述された方法、装置、及び非一時的コンピュータ可読媒体のいくつかの例は、ＭＣＳインデックスに少なくとも部分的に基づいて、選択された変調テーブル中で変調次数を決定することと、ＣＱＩ報告構成に少なくとも部分的に基づいて、ＣＱＩテーブルを選択することとを行うためのプロセス、特徴、手段、又は命令を更に含み得る。
【００２８】
[0028]上述された方法、装置、及び非一時的コンピュータ可読媒体のいくつかの例では、ＣＱＩ報告に関連付けられたＣＱＩ報告構成は、ＣＱＩテーブルが第１のＴＴＩ若しくは第２のＴＴＩ、又はその両方に適用されることを示す。
【００２９】
[0029]上述された方法、装置、及び非一時的コンピュータ可読媒体のいくつかの例では、パラメータは、６４ＱＡＭ、２５６ＱＡＭ、又は１０２４ＱＡＭについてのＵＥの能力のインジケーションを備える。
【００３０】
[0030]上述された方法、装置、及び非一時的コンピュータ可読媒体のいくつかの例では、送信は、ダウンリンク送信又はアップリンク送信である。
【００３１】
[0031]上述された方法、装置、及び非一時的コンピュータ可読媒体のいくつかの例は、受信されたＭＣＳインデックスに少なくとも部分的に基づいて、アップリンク送信のための変調テーブルを選択することと、受信されたメッセージに関連付けられたＤＣＩフォーマットおよびＭＣＳインデックスに少なくとも部分的に基づいて、アップリンク送信のための選択された変調テーブル中で変調次数を決定することと、を行うためのプロセス、特徴、手段、又は命令を更に含み得る。
【００３２】
[0032]上述された方法、装置、及び非一時的コンピュータ可読媒体のいくつかの例は、半永続的スケジューリング又はランダムアクセス応答許可（random access response grant）に少なくとも部分的に基づいて、アップリンク送信のための変調次数を決定するためのプロセス、特徴、手段、又は命令を更に含み得る。
【００３３】
[0033]上述された方法、装置、及び非一時的コンピュータ可読媒体のいくつかの例では、パラメータは、上位レイヤパラメータである。
【００３４】
[0034]上述された方法、装置、及び非一時的コンピュータ可読媒体のいくつかの例は、ＵＥ能力メッセージとは別個である第２のＵＥ能力メッセージを送信するためのプロセス、特徴、手段、又は命令を更に含み得る。上述された方法、装置、及び非一時的コンピュータ可読媒体のいくつかの例では、ＵＥ能力メッセージは、アップリンク用であり、第２のＵＥ能力メッセージは、ダウンリンク用である。
【００３５】
[0035]基地局によるワイヤレス通信のための方法。方法は、第１のＴＴＩと第１のＴＴＩより短い第２のＴＴＩとに関連付けられた少なくとも１つの変調次数についてのＵＥ能力メッセージを受信することと、ＵＥ能力メッセージに少なくとも部分的に基づいて、変調テーブルに関連付けられたパラメータを構成することと、ＵＥ能力メッセージに少なくとも部分的に基づいて、ＭＣＳインデックスを決定することと、パラメータとＭＣＳインデックスとを備えるメッセージを送信することとを含み得る。
【００３６】
[0036]ワイヤレス通信のための装置が説明される。装置は、第１のＴＴＩと第１のＴＴＩより短い第２のＴＴＩとに関連付けられた少なくとも１つの変調次数についてのＵＥ能力メッセージを受信するための手段と、ＵＥ能力メッセージに少なくとも部分的に基づいて、変調テーブルに関連付けられたパラメータを構成するための手段と、ＵＥ能力メッセージに少なくとも部分的に基づいて、ＭＣＳインデックスを決定するための手段と、パラメータとＭＣＳインデックスとを備えるメッセージを送信するための手段とを含み得る。
【００３７】
[0037]ワイヤレス通信のための別の装置が説明される。装置は、プロセッサと、プロセッサと電子通信状態にあるメモリと、メモリ中に記憶された命令とを含み得る。命令は、プロセッサに、第１のＴＴＩと第１のＴＴＩより短い第２のＴＴＩとに関連付けられた少なくとも１つの変調次数についてのＵＥ能力メッセージを受信することと、ＵＥ能力メッセージに少なくとも部分的に基づいて、変調テーブルに関連付けられたパラメータを構成することと、ＵＥ能力メッセージに少なくとも部分的に基づいて、ＭＣＳインデックスを決定することと、パラメータとＭＣＳインデックスとを備えるメッセージを送信することとを行わせるように動作可能であり得る。
【００３８】
[0038]基地局におけるワイヤレス通信のための非一時的コンピュータ可読媒体が説明される。非一時的コンピュータ可読媒体は、プロセッサに、第１のＴＴＩと第１のＴＴＩより短い第２のＴＴＩとに関連付けられた少なくとも１つの変調次数についてのＵＥ能力メッセージを受信することと、ＵＥ能力メッセージに少なくとも部分的に基づいて、変調テーブルに関連付けられたパラメータを構成することと、ＵＥ能力メッセージに少なくとも部分的に基づいて、ＭＣＳインデックスを決定することと、パラメータとＭＣＳインデックスとを備えるメッセージを送信することとを行わせるように動作可能な命令を含み得る。
【００３９】
[0039]上述された方法、装置、及び非一時的コンピュータ可読媒体のいくつかの例は、ＵＥ能力メッセージに少なくとも部分的に基づいて、パラメータを有効にするためのプロセス、特徴、手段、又は命令を更に含み得、パラメータを構成することは、有効にすることを備える。
【００４０】
[0040]上述された方法、装置、及び非一時的コンピュータ可読媒体のいくつかの例は、ＵＥ能力メッセージに少なくとも部分的に基づいて、パラメータを無効にするためのプロセス、特徴、手段、又は命令を更に含み得、パラメータを構成することは、無効にすることを備える。
【００４１】
[0041]上述された方法、装置、及び非一時的コンピュータ可読媒体のいくつかの例は、ｓＰＤＣＣＨを介してメッセージを送信するためのプロセス、特徴、手段、又は命令を更に含み得、メッセージは、リソースの割り振り、又は１つ又は複数の物理チャネルについての構成情報、又はＣＱＩ報告、又はそれらの任意の組み合わせを更に備える。
【００４２】
[0042]上述された方法、装置、及び非一時的コンピュータ可読媒体のいくつかの例では、構成情報は、第１のＴＴＩ及び第２のＴＴＩについての送信構成を備え、ＣＱＩ報告は、構成情報に少なくとも部分的に基づく。
【００４３】
[0043]上述された方法、装置、及び非一時的コンピュータ可読媒体のいくつかの例では、第２のＴＴＩは、ｓＴＴＩである。
【００４４】
[0044]上述された方法、装置、及び非一時的コンピュータ可読媒体のいくつかの例は、第２のＴＴＩについての能力を示す、ＵＥ能力メッセージとは別個である第２のＵＥ能力情報メッセージを受信するためのプロセス、特徴、手段、又は命令を更に含み得る。
【００４５】
[0045]上述された方法、装置、及び非一時的コンピュータ可読媒体のいくつかの例では、ＵＥ能力メッセージは、第１のＴＴＩと第２のＴＴＩとの両方についてのＵＥの能力を備える。
【００４６】
[0046]上述された方法、装置、及び非一時的コンピュータ可読媒体のいくつかの例では、第２のＴＴＩは、複数のｓＴＴＩを備える。
【００４７】
[0047]上述された方法、装置、及び非一時的コンピュータ可読媒体のいくつかの例では、ＵＥ能力メッセージは、複数のｓＴＴＩに関連付けられる。
【００４８】
[0048]上述された方法、装置、及び非一時的コンピュータ可読媒体のいくつかの例は、ＵＥ能力メッセージとは別個である第２のＵＥ能力メッセージを受信するためのプロセス、特徴、手段、又は命令を更に含み得る。上述された方法、装置、及び非一時的コンピュータ可読媒体のいくつかの例では、ＵＥ能力メッセージは、アップリンク用であり、第２のＵＥ能力メッセージは、ダウンリンク用である。
【図面の簡単な説明】
【００４９】
【図１】[0049]本開示の態様による、変調テーブル決定及びチャネル品質インジケータ（ＣＱＩ）報告をサポートするワイヤレス通信システムの例を例示する。
【図２】本開示の態様による、変調テーブル決定及びＣＱＩ報告をサポートするワイヤレス通信システムの例を例示する。
【図３】[0050]本開示の態様による、変調テーブル決定及びＣＱＩ報告をサポートするプロセスフローの例を例示する。
【図４】[0051]本開示の態様による、変調テーブル決定及びＣＱＩ報告をサポートするデバイスのブロック図を示す。
【図５】本開示の態様による、変調テーブル決定及びＣＱＩ報告をサポートするデバイスのブロック図を示す。
【図６】本開示の態様による、変調テーブル決定及びＣＱＩ報告をサポートするデバイスのブロック図を示す。
【図７】[0052]本開示の態様による、変調テーブル決定及びＣＱＩ報告をサポートするＵＥを含むシステムのブロック図を例示する。
【図８】[0053]本開示の態様による、変調テーブル決定及びＣＱＩ報告をサポートするデバイスのブロック図を示す。
【図９】本開示の態様による、変調テーブル決定及びＣＱＩ報告をサポートするデバイスのブロック図を示す。
【図１０】[0054]本開示の態様による、変調テーブル決定及びＣＱＩ報告をサポートする基地局を含むシステムのブロック図を例示する。
【図１１】[0055]本開示の態様による、変調テーブル決定及びＣＱＩ報告のための１つ又は複数の方法を例示する。
【図１２】本開示の態様による、変調テーブル決定及びＣＱＩ報告のための１つ又は複数の方法を例示する。
【図１３】本開示の態様による、変調テーブル決定及びＣＱＩ報告のための１つ又は複数の方法を例示する。
【図１４】本開示の態様による、変調テーブル決定及びＣＱＩ報告のための１つ又は複数の方法を例示する。
【図１５】本開示の態様による、変調テーブル決定及びＣＱＩ報告のための１つ又は複数の方法を例示する。
【図１６】本開示の態様による、変調テーブル決定及びＣＱＩ報告のための１つ又は複数の方法を例示する。
【詳細な説明】
【００５０】
[0056]ユーザ機器（ＵＥ）は、１つ又は複数のＴＴＩに関連付けられた少なくとも１つの変調次数（modulation order）についてのＵＥの能力を決定し得る。変調次数は、変調コーディング方式（ＭＣＳ）に関連付けられ得、このことから、他の可能性の中でも、６４ＱＡＭ、２５６ＱＡＭ、又は１０２４ＱＡＭなどの変調方式に関連付けられ得る。いくつかのケースでは、ＴＴＩのうちのいくつかは、ｓＴＴＩであり得る。例えば、第１のＴＴＩは、１ｍｓの持続時間を有し得、第２のＴＴＩは、１ｍｓ未満（例えば、０．５ｍｓ）の持続時間を有するｓＴＴＩであり得る。ｓＴＴＩに関連する特性及び動作のために、変調次数及びトランスポートブロックサイズ（ＴＢＳ）インデックス決定に関連する他のシステム及び動作は、不十分であり得るか、又はｓＴＴＩに基づく変動及び差を考慮しないことがある。ＴＴＩ、ｓＴＴＩ、又はその両方に基づいて第１のデバイス（例えば、ＵＥ）と第２のデバイス（例えば、基地局）との間の通信を容易にするために、デバイスが、変調次数及びＴＢＳインデックス決定などの様々な通信態様（communication aspects）を構成する必要がある。その上、デバイスが、どのＴＢＳテーブル又は他のパラメータが使用されるべきかなど、異なる変調次数（例えば、１０２４ＱＡＭなどのより高い変調次数）に関連する態様（aspects）を決定することができる必要がある。
【００５１】
[0057]ＵＥは、基地局にＵＥ能力メッセージを送信し得る。いくつかの例では、ＵＥは、アップリンク及びダウンリンク用に異なるＵＥ能力メッセージを送信し得る。いくつかのケースでは、ＵＥは、単一のＵＥ能力メッセージ中で、任意のｓＴＴＩを含む、１つ又は複数のＴＴＩに関連付けられた１つ又は複数の能力を提供し得る。
代替として、ＵＥは、ＴＴＩ及びｓＴＴＩについての別個のＵＥ能力メッセージを送信し得る。第１のＴＴＩとｓＴＴＩである第２のＴＴＩとの例では、ＵＥは、第１のＵＥ能力メッセージ中で第１のＴＴＩに関連付けられたＵＥの能力を、及び第２のＵＥ能力メッセージ中で第２のＴＴＩに関連付けられたＵＥの能力を示し得る。加えて、ＵＥがいくつかのｓＴＴＩ中に１つ又は複数の送信のためにスケジュールされるケースでは、ＵＥは、ｓＴＴＩの各々についてのＵＥの能力の別個のインジケーションを提供し得る。いくつかのケースでは、能力は、ＴＴＩ及び／又はｓＴＴＩのうちの１つ又は各々のためにＵＥによってサポートされるＭＣＳを示し得る。各ＴＴＩ及びｓＴＴＩは、ダウンリンク通信若しくはアップリンク通信、又はその両方に関連付けられ得る。
【００５２】
[0058]基地局は、ＵＥ能力メッセージを受信し、上位レイヤパラメータであり得るパラメータ（例えば、ａｌｔＣＱＩ−Ｔａｂｌｅ−ＳＴＴＩ−ｒ１５）を構成し得る。（本願全体を通じて、いくつかのケースでは、特定のパラメータ名が利用され得るが、任意の１つ又は複数のパラメータ名は、本明細書の教示から逸脱することなく、所与のインプリメンテーションにおいて異なり得ることが理解されるべきである。）パラメータは、基地局にＣＱＩフィードバックを提供するためにＵＥが使用し得るＣＱＩテーブルの適用可能性を示し得る。加えて、パラメータは、非周期的ＣＳＩ報告と周期的ＣＳＩ報告との両方のためのＣＱＩテーブルの適用可能性を含み得る。基地局は、ＵＥにパラメータとＭＣＳインデックスとを含むメッセージを送信し得る。ＵＥは、１つ又は複数のＴＴＩに関連付けられた送信を通信するための変調テーブルを受信及び選択し得る。加えて、ＵＥは、構成されたパラメータに基づいてＣＱＩテーブルを選択することによって、基地局にＣＱＩフィードバックを提供し得る。
【００５３】
[0059]本開示の態様は、ワイヤレス通信システムのコンテキストにおいて最初に説明される。本開示の態様は、プロセスフローによって更に例示される。本開示の態様は更に、変調テーブル決定及びＣＱＩ報告に関連する装置図、システム図、及びフローチャートによって例示され、且つそれらを参照して説明される。
【００５４】
[0060]図１は、本開示の様々な態様による、変調テーブル決定及びＣＱＩ報告をサポートするワイヤレス通信システム１００の一例を例示する。システム１００は、基地局１０５、ＵＥ１１５、及びコアネットワーク１３０を含む。いくつかの例では、システム１００は、ロングタームエボリューション（ＬＴＥ）ネットワーク、ＬＴＥアドバンスト（ＬＴＥ−Ａ）ネットワーク、ＬＴＥ−Ａプロネットワーク、又はニューラジオ（ＮＲ）ネットワークであり得る。いくつかのケースでは、システム１００は、拡張ブロードバンド通信、超高信頼（例えば、ミッションクリティカル）通信、低レイテンシ通信、又は低コスト及び低複雑性デバイスとの通信をサポートし得る。
【００５５】
[0061]基地局１０５は、１つ又は複数の基地局アンテナを介して、ＵＥ１１５とワイヤレスに通信し得る。本明細書で説明される基地局１０５は、ベーストランシーバ局、無線基地局、アクセスポイント、無線トランシーバ、ノードＢ、ｅノードＢ（ｅＮＢ）、次世代ノードＢ若しくはギガノードＢ（それらのいずれもｇＮＢと呼ばれ得る）、ホームノードＢ、ホームｅノードＢ、又は何らかの他の適切な専門用語を含み得るか、又はそのように当業者によって呼ばれ得る。システム１００は、異なるタイプの基地局１０５（例えば、マクロセル基地局又はスモールセル基地局）を含み得る。本明細書で説明されるＵＥ１１５は、マクロｅＮＢ、スモールセルｅＮＢ、ｇＮＢ、中継基地局、及び同様のものを含む、様々なタイプの基地局１０５及びネットワーク機器と通信することが可能であり得る。
【００５６】
[0062]各基地局１０５は、様々なＵＥ１１５との通信がサポートされる特定の地理的カバレッジエリア１１０に関連付けられ得る。各基地局１０５は、通信リンク１２５を介してそれぞれの地理的カバレッジエリア１１０に通信カバレッジを提供し得、基地局１０５とＵＥ１１５との間の通信リンク１２５は、１つ又は複数のキャリアを利用し得る。システム１００に示される通信リンク１２５は、ＵＥ１１５から基地局１０５へのアップリンク送信、又は基地局１０５からＵＥ１１５へのダウンリンク送信を含み得る。ダウンリンク送信は、順方向リンク送信とも呼ばれ得、アップリンク送信は、逆方向リンク送信とも呼ばれ得る。
【００５７】
[0063]基地局１０５のための地理的カバレッジエリア１１０は、地理的カバレッジエリア１１０の一部分のみを構成するセクタに分割され得、各セクタは、セルに関連付けられ得る。例えば、各基地局１０５は、マクロセル、スモールセル、ホットスポット、若しくは他のタイプのセル、又はそれらの様々な組み合わせに通信カバレッジを提供し得る。いくつかの例では、基地局１０５は、移動可能であり、従って、移動する地理的カバレッジエリア１１０に通信カバレッジを提供し得る。
【００５８】
[0064]いくつかの例では、異なる技術に関連付けられた異なる地理的カバレッジエリア１１０は、重複し得、異なる技術に関連付けられた重複する地理的カバレッジエリア１１０は、同じ基地局１０５によって又は異なる基地局１０５によってサポートされ得る。システム１００は、例えば、異なるタイプの基地局１０５が様々な地理的カバレッジエリア１１０にカバレッジを提供する異種ＬＴＥ／ＬＴＥ−Ａ／ＬＴＥ−Ａプロ又はＮＲネットワークを含み得る。
【００５９】
[0065]「セル」という用語は、（例えば、キャリアを通した）基地局１０５との通信のために使用される論理通信エンティティを指し、同じ又は異なるキャリアを介して動作する近隣セルを区別するための識別子（例えば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを提供し得る異なるプロトコルタイプ（例えば、マシンタイプ通信（ＭＴＣ）、ナローバンドモノのインターネット（ＮＢ−ＩｏＴ：narrowband Internet-of-Things）、拡張モバイルブロードバンド（ｅＭＢＢ）、又はその他）に従って構成され得る。いくつかのケースでは、「セル」という用語は、論理エンティティが動作する地理的カバレッジエリア１１０（例えば、セクタ）の一部分を指し得る。
【００６０】
[0066]ＵＥ１１５は、システム１００全体を通じて分散され得、各ＵＥ１１５は、固定式又は移動式であり得る。ＵＥ１１５はまた、モバイルデバイス、ワイヤレスデバイス、リモートデバイス、ハンドヘルドデバイス、若しくは加入者デバイス、又は何らかの他の適切な専門用語で呼ばれ得、ここで、「デバイス」は、ユニット、局、端末、又はクライアントとも呼ばれ得る。ＵＥ１１５はまた、セルラフォン、携帯情報端末（ＰＤＡ）、タブレットコンピュータ、ラップトップコンピュータ、又はパーソナルコンピュータなどのパーソナル電子デバイスであり得る。いくつかの例では、ＵＥ１１５はまた、ワイヤレスローカルループ（ＷＬＬ）局、モノのインターネット（ＩｏＴ）デバイス、あらゆるモノのインターネット（ＩｏＥ：Internet of Everything）デバイス、若しくはＭＴＣデバイス、又は同様のものを指し得、それらは、電気機器、車両、計測器（メータ）、又は同様のものなどの様々な物品においてインプリメントされ得る。
【００６１】
[0067]ＭＴＣ又はＩｏＴデバイスなど、いくつかのＵＥ１１５は、低コスト又は低複雑性デバイスであり得、（例えば、マシンツーマシン（Ｍ２Ｍ）通信を介した）マシン間の自動通信を提供し得る。Ｍ２Ｍ通信又はＭＴＣは、デバイスが人間の介入なしに互いと又は基地局１０５と通信することを可能にするデータ通信技術を指し得る。
【００６２】
[0068]いくつかの例では、Ｍ２Ｍ通信又はＭＴＣは、情報を測定又はキャプチャし、その情報を利用するか、又はプログラム若しくはアプリケーションと対話する人間にその情報を提示することができる中央サーバ又はアプリケーションプログラムにその情報を中継するためのセンサ又はメータを統合するデバイスからの通信を含み得る。いくつかのＵＥ１１５は、情報を収集するか、又はマシンの自動挙動を可能にするように設計され得る。ＭＴＣデバイスのためのアプリケーションの例は、スマート計測、在庫（inventory）モニタリング、水位モニタリング、機器モニタリング、ヘルスケアモニタリング、野生生物モニタリング、天候及び地質学的イベントモニタリング、保有車両（fleet）管理及び追跡、リモートセキュリティ感知、物理アクセス制御、及び取引ベースのビジネス課金（transaction-based business charging）を含む。
【００６３】
[0069]いくつかのＵＥ１１５は、半複信（half-duplex）通信（例えば、送信又は受信を介した一方向通信をサポートするが、送信と受信とを同時にサポートしないモード）など、電力消費を低減する動作モードを用いるように構成され得る。いくつかの例では、半複信通信は、低減されたピークレートで実行され得る。ＵＥ１１５のための他の電力節約技法は、アクティブ通信に従事していないとき、電力節約「ディープスリープ」モードに入ること、又は（例えば、ナローバンド通信に従って）制限された帯域幅を通して動作すること、を含む。いくつかのケースでは、ＵＥ１１５は、クリティカルな機能（例えば、ミッションクリティカル機能）をサポートするように設計され得、システム１００は、これらの機能のための超高信頼通信を提供するように構成され得る。
【００６４】
[0070]いくつかのケースでは、ＵＥ１１５はまた、（例えば、ピアツーピア（Ｐ２Ｐ）又はデバイスツーデバイス（Ｄ２Ｄ）プロトコルを使用して）他のＵＥ１１５と直接通信することが可能であり得る。Ｄ２Ｄ通信を利用するＵＥ１１５のグループのうちの１つ又は複数は、基地局１０５の地理的カバレッジエリア１１０内にあり得る。そのようなグループ中の他のＵＥ１１５は、基地局１０５の地理的カバレッジエリア１１０の外部にあり得るか、又はそうでない場合は基地局１０５からの送信を受信することができない。いくつかのケースでは、Ｄ２Ｄ通信を介して通信するＵＥ１１５のグループは、各ＵＥ１１５がグループ中の全ての他のＵＥ１１５に送信する一対多（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５の関与なしにＵＥ１１５間で実行される。
【００６５】
[0071]基地局１０５は、コアネットワーク１３０と、及び互いと通信し得る。例えば、基地局１０５は、バックホールリンク１３２を通して（例えば、Ｓ１又は他のインターフェースを介して）コアネットワーク１３０とインターフェースし得る。基地局１０５は、直接（例えば、基地局１０５間で直接）又は間接的に（例えば、コアネットワーク１３０を介して）のいずれかで、バックホールリンク１３４を通して（例えば、Ｘ２又は他のインターフェースを介して）互いと通信し得る。
【００６６】
[0072]コアネットワーク１３０は、ユーザ認証、アクセス認可、トラッキング、インターネットプロトコル（ＩＰ）接続性、及び他のアクセス、ルーティング、又はモビリティ機能を提供し得る。コアネットワーク１３０は、発展型パケットコア（ＥＰＣ）であり得、それは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る。
【００６７】
[0073]ＭＭＥは、ＥＰＣに関連付けられた基地局１０５によってサービングされるＵＥ１１５のためのモビリティ、認証、及びベアラ管理などの非アクセス層（例えば、制御プレーン）機能を管理し得る。ユーザＩＰパケットは、それ自体がＰ−ＧＷに接続され得るＳ−ＧＷを通して転送され得る。Ｐ−ＧＷは、ＩＰアドレス割り振り並びに他の機能を提供し得る。Ｐ−ＧＷは、ネットワークオペレータＩＰサービスに接続され得る。オペレータＩＰサービスは、インターネット、イントラネット（１つ以上）、ＩＰマルチメディアサブシステム（ＩＭＳ）、又はパケット交換（ＰＳ）ストリーミングサービスへのアクセスを含み得る。
【００６８】
[0074]基地局１０５など、ネットワークデバイスのうちの少なくともいくつかは、アクセスネットワークエンティティなどのサブコンポーネントを含み得、それは、アクセスノードコントローラ（ＡＮＣ）の一例であり得る。各アクセスネットワークエンティティは、いくつかの他のアクセスネットワーク送信エンティティを通してＵＥ１１５と通信し得、それらは、無線ヘッド、スマート無線ヘッド、又は送信／受信ポイント（ＴＲＰ）と呼ばれ得る。いくつかの構成では、各アクセスネットワークエンティティ又は基地局１０５の様々な機能は、様々なネットワークデバイス（例えば、無線ヘッド及びアクセスネットワークコントローラ）にわたって分散され得るか、又は単一のネットワークデバイス（例えば、基地局１０５）に統合され得る。
【００６９】
[0075]システム１００は、典型的には３００ＭＨｚ〜３００ＧＨｚの範囲内の１つ又は複数の周波数帯域を使用して動作し得る。一般に、３００ＭＨｚ〜３ＧＨｚの領域は、波長が約１デシメートル〜１メートルの長さに及ぶので、極超高周波数（ＵＨＦ：ultra-high frequency）領域又はデシメートル帯域として知られている。ＵＨＦ波は、建物及び環境的特徴によってブロック又はリダイレクトされ得る。しかしながら、波は、マクロセルが屋内にロケートされたＵＥ１１５にサービスを提供するのに十分に構造を貫通し得る。ＵＨＦ波の送信は、３００ＭＨｚ未満のスペクトルの高周波数（ＨＦ：high frequency）又は超高周波数（ＶＨＦ：very high frequency）部分のより小さい周波数及びより長い波を使用する送信と比較して、より小さいアンテナ及びより短い範囲（例えば、１００ｋｍ未満）に関連付けられ得る。
【００７０】
[0076]システム１００はまた、センチメートル帯域としても知られる、３ＧＨｚ〜３０ＧＨｚの周波数帯域を使用する極極超高周波数（ＳＨＦ：super high frequency）領域中で動作し得る。ＳＨＦ領域は、他のユーザからの干渉を許容することができるデバイスによって日和見的に使用され得る、５ＧＨｚの複数の産業科学医療（ＩＳＭ）帯域などの帯域を含む。システム１００はまた、ミリメートル帯域としても知られる、スペクトルの極極極超高周波数数（ＥＨＦ：extremely high frequency）領域（例えば、３０ＧＨｚ〜３００ＧＨｚ）中で動作し得る。いくつかの例では、システム１００は、ＵＥ１１５と基地局１０５との間のミリメートル波（ｍｍＷ）通信をサポートし得、それぞれのデバイスのＥＨＦアンテナは、ＵＨＦアンテナより更に小さく、より密接に離間され得る。いくつかのケースでは、これは、ＵＥ１１５内のアンテナアレイの使用を容易にし得る。
【００７１】
[0077]しかしながら、ＥＨＦ送信の伝搬は、ＳＨＦ又はＵＨＦ送信より更に大きい大気減衰及びより短い範囲を課され得る。本明細書で開示される技法は、１つ又は複数の異なる周波数領域を使用する送信にわたって用いられ得、これらの周波数領域にわたる帯域の指定された使用は、国又は規制機関によって異なり得る。
【００７２】
[0078]いくつかのケースでは、システム１００は、ライセンス無線周波数スペクトル帯域とアンライセンス無線周波数スペクトル帯域との両方を利用し得る。例えば、システム１００は、５ＧＨｚ ＩＳＭ帯域などのアンライセンス帯域中で、ライセンス支援アクセス（ＬＡＡ）、ＬＴＥ−アンライセンス（ＬＴＥ−Ｕ）無線アクセス技術、又はＮＲ技術を用い得る。アンライセンス無線周波数スペクトル帯域中で動作するとき、基地局１０５及びＵＥ１１５などのワイヤレスデバイスは、データを送信する前に周波数チャネルがクリアであることを保証するためにリッスンビフォートーク（ＬＢＴ：listen-before-talk）プロシージャを用い得る。いくつかのケースでは、アンライセンス帯域中での動作は、ライセンス帯域（例えば、ＬＡＡ）中で動作するＣＣと併せてＣＡ構成に基づき得る。アンライセンススペクトル中での動作は、ダウンリンク送信、アップリンク送信、ピアツーピア送信、又はこれらの組み合わせを含み得る。アンライセンススペクトル中での複信（duplexing）は、周波数分割複信（ＦＤＤ）、時分割複信（ＴＤＤ）、又はその両方の組み合わせに基づき得る。
【００７３】
[0079]いくつかの例では、基地局１０５又はＵＥ１１５は、複数のアンテナを装備され得、それらは、送信ダイバーシティ、受信ダイバーシティ、多入力多出力（ＭＩＭＯ）通信、又はビームフォーミングなどの技法を用いるために使用され得る。例えば、システム１００は、送信デバイス（例えば、基地局１０５）と受信デバイス（例えば、ＵＥ１１５）との間の送信方式を使用し得、ここで、送信デバイスは、複数のアンテナを装備され、受信デバイスは、１つ又は複数のアンテナを装備される。
【００７４】
[0080]ＭＩＭＯ通信は、異なる空間レイヤを介して複数の信号を送信又は受信することによってスペクトル効率を増大させるためにマルチパス信号伝搬を用い得、それは、空間多重化と呼ばれ得る。複数の信号は、例えば、異なるアンテナ又はアンテナの異なる組み合わせを介して送信デバイスによって送信され得る。同様に、複数の信号は、異なるアンテナ又はアンテナの異なる組み合わせを介して受信デバイスによって受信され得る。複数の信号の各々は、別個の空間ストリームと呼ばれ得、同じデータストリーム（例えば、同じコードワード）又は異なるデータストリームに関連付けられたビットを搬送し得る。異なる空間レイヤは、チャネル測定及び報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００７５】
[0081]空間フィルタリング、指向性送信、又は指向性受信とも呼ばれ得るビームフォーミングは、送信デバイスと受信デバイスとの間の空間経路に沿ってアンテナビーム（例えば、送信ビーム又は受信ビーム）を形成又はステアリングするために、送信デバイス又は受信デバイス（例えば、基地局１０５又はＵＥ１１５）において使用され得る信号処理技法である。
【００７６】
[0082]ビームフォーミングは、アンテナアレイのアンテナ素子を介して通信される信号を、アンテナアレイに対して特定の向きで伝搬する信号が強め合う干渉（constructive interference）を経験し、他の信号が弱め合う干渉（destructive interference）を経験するように組み合わせることによって達成され得る。アンテナ素子を介して通信される信号の調整は、送信デバイス又は受信デバイスが、そのデバイスに関連付けられたアンテナ素子の各々を介して搬送される信号にある特定の振幅及び位相オフセットを適用すること、を含み得る。アンテナ素子の各々に関連付けられた調整は、（例えば、送信デバイス若しくは受信デバイスのアンテナアレイに対して、又は何らかの他の向きに対して）特定の向きに関連付けられたビームフォーミング重みセットによって定義され得る。
【００７７】
[0083]一例では、基地局１０５は、ＵＥ１１５との指向性通信のためのビームフォーミング動作を行うために、複数のアンテナ又はアンテナアレイを使用し得る。例えば、いくつかの信号（例えば、同期信号、基準信号、ビーム選択信号、又は他の制御信号）は、異なる方向に複数回基地局１０５によって送信され得、それは、異なる送信方向に関連付けられた異なるビームフォーミング重みセットに従って送信される信号を含み得る。
【００７８】
[0084]異なるビーム方向への送信は、基地局１０５による後続の送信及び／又は受信のためのビーム方向を（例えば、基地局１０５又はＵＥ１１５などの受信デバイスによって）識別するために使用され得る。特定の受信デバイスに関連付けられたデータ信号などのいくつかの信号は、単一のビーム方向（例えば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。
【００７９】
[0085]例えば、ＵＥ１１５は、異なる方向に基地局１０５によって送信された信号のうちの１つ又は複数を受信し得、ＵＥ１１５は、最高の信号品質又はそうでない場合は許容可能な信号品質で受信した信号のインジケーションを基地局１０５に報告し得る。これらの技法は、基地局１０５によって１つ又は複数の方向に送信される信号に関して説明されるが、ＵＥ１１５は、（例えば、ＵＥ１１５による後続の送信又は受信のためのビーム方向を識別するために）異なる方向に複数回信号を送信するため、又は（例えば、受信デバイスにデータを送信するために）単一の方向に信号を送信するための同様の技法を用い得る。
【００８０】
[0086]受信デバイス（例えば、ｍｍＷ受信デバイスの一例であり得るＵＥ１１５）は、同期信号、基準信号、ビーム選択信号、又は他の制御信号など、基地局１０５から様々な信号を受信するときに、複数の受信ビームを試行し得る。例えば、受信デバイスは、異なるアンテナサブアレイを介して受信することによって、異なるアンテナサブアレイに従って受信信号を処理することによって、アンテナアレイの複数のアンテナ素子において受信された信号に適用された異なる受信ビームフォーミング重みセットに従って受信することによって、又はアンテナアレイの複数のアンテナ素子において受信された信号に適用された異なる受信ビームフォーミング重みセットに従って受信信号を処理することによって、複数の受信方向を試行し得、それらのうちのいずれも、異なる受信ビーム又は受信方向に従って「リッスンする」と呼ばれ得る。いくつかの例では、受信デバイスは、（例えば、データ信号を受信するとき）単一のビーム方向に沿って受信するために、単一の受信ビームを使用し得る。単一の受信ビームは、異なる受信ビーム方向に従ってリッスンすることに少なくとも部分的に基づいて決定されたビーム方向（例えば、複数のビーム方向に従ってリッスンすることに少なくとも部分的に基づいて、最高の信号強度、最高の信号対雑音比、又はそうでない場合は許容可能な信号品質を有すると決定されたビーム方向）に揃えられ得る。
【００８１】
[0087]いくつかのケースでは、基地局１０５又はＵＥ１１５のアンテナは、ＭＩＭＯ動作をサポートし得るか、又はビームフォーミングを送信若しくは受信し得る、１つ又は複数のアンテナアレイ内にロケートされ得る。例えば、１つ又は複数の基地局アンテナ又はアンテナアレイは、アンテナタワーなどの１つのアンテナアセンブリにコロケートされ得る。いくつかのケースでは、基地局１０５に関連付けられたアンテナ又はアンテナアレイは、多様な地理的ロケーション中にロケートされ得る。基地局１０５は、基地局１０５がＵＥ１１５との通信のビームフォーミングをサポートするために使用し得るアンテナポートのいくつかの行及び列を有するアンテナアレイを有し得る。同様に、ＵＥ１１５は、様々なＭＩＭＯ又はビームフォーミング動作をサポートし得る１つ又は複数のアンテナアレイを有し得る。
【００８２】
[0088]いくつかのケースでは、システム１００は、階層化プロトコルスタックに従って動作するパケットベースのネットワークであり得る。ユーザプレーンでは、ベアラ又はパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネルを通して通信するために、パケットのセグメント化及びリアセンブリを実行し得る。媒体アクセス制御（ＭＡＣ）レイヤは、優先度処理（priority handling）及び論理チャネルのトランスポートチャネルへの多重化を実行し得る。ＭＡＣレイヤはまた、ハイブリッド自動再送要求（ＨＡＲＱ）を使用し、ＭＡＣレイヤにおいて再送信を提供して、リンク効率を改善し得る。制御プレーンでは、無線リソース制御（ＲＲＣ）プロトコルレイヤは、ユーザプレーンデータのための無線ベアラをサポートする、ＵＥ１１５と基地局１０５又はコアネットワーク１３０との間のＲＲＣ接続の確立、構成、及び維持を提供し得る。物理（ＰＨＹ）レイヤにおいて、トランスポートチャネルは、物理チャネルにマッピングされ得る。
【００８３】
[0089]いくつかのケースでは、ＵＥ１１５及び基地局１０５は、データが正常に受信される可能性を増大させるために、データの再送信をサポートし得る。ＨＡＲＱフィードバックは、データが通信リンク１２５を通して正しく受信される可能性を増大させる１つの技法である。ＨＡＲＱは、誤り検出（例えば、ＣＲＣを使用する）、順方向誤り訂正（ＦＥＣ）、及び再送信（例えば、自動再送要求（ＡＲＱ））の組み合わせを含み得る。ＨＡＲＱは、貧弱な無線条件（例えば、信号対雑音条件）でのＭＡＣレイヤにおけるスループットを改善し得る。いくつかのケースでは、ワイヤレスデバイスは、同一スロットＨＡＲＱフィードバックをサポートし得、ここで、デバイスは、特定のスロット中の前のシンボル中で受信されたデータのために、そのスロット中でＨＡＲＱフィードバックを提供し得る。他のケースでは、デバイスは、後続のスロット中で、又は何らかの他の時間間隔に従って、ＨＡＲＱフィードバックを提供し得る。
【００８４】
[0090]ＬＴＥ又はＮＲにおける時間間隔は、基本時間単位の倍数で表され得、それは、例えば、Ｔs＝１／３０，７２０，０００秒のサンプリング期間を指し得る。通信リソースの時間間隔は、各々が１０ミリ秒（ｍｓ）の持続時間を有する無線フレームに従って編成され得、ここで、フレーム期間は、Ｔf＝３０７，２００Ｔsとして表され得る。無線フレームは、０〜１０２３の範囲のシステムフレーム番号（ＳＦＮ）によって識別され得る。各フレームは、０〜９の番号付けされた１０個のサブフレームを含み得、各サブフレームは、１ｍｓの持続時間を有し得る。
【００８５】
[0091]サブフレームは、各々が０．５ｍｓの持続時間を有する２つのスロットに更に分割され得、各スロットは、（例えば、各シンボル期間にプリペンドされた（prepended）サイクリックプレフィックスの長さに応じて）６又は７つの変調シンボル期間を包含し得る。サイクリックプレフィックスを除いて、各シンボル期間は、２０４８個のサンプリング期間を包含し得る。いくつかのケースでは、サブフレームは、システム１００の最小スケジューリング単位であり得、ＴＴＩと呼ばれ得る。他のケースでは、システム１００の最小スケジューリング単位は、サブフレームより短くあり得るか、又は（例えば、ｓＴＴＩのバーストにおいて、若しくはｓＴＴＩを使用する選択されたコンポーネントキャリアにおいて）動的に選択され得る。
【００８６】
[0092]ＵＥ１１５は、第１のＴＴＩと第１のＴＴＩより短い第２のＴＴＩとに関連付けられた少なくとも１つの変調次数についての能力を決定し得る。第２のＴＴＩは、ｓＴＴＩであり得る。ＵＥ１１５は、ＵＥ１１５の能力を決定することに基づいて、ＵＥ能力メッセージを基地局１０５に送信し得る。いくつかのケースでは、ＵＥ能力メッセージは、第１のＴＴＩと第２のＴＴＩとの両方についてのＵＥ１１５の能力を含み得る。基地局１０５は、ＵＥ能力メッセージを受信し、ＵＥ能力メッセージに基づいて、変調テーブルに関連付けられたパラメータを構成し得る。基地局１０５はまた、ＵＥ能力メッセージに基づいて、ＭＣＳインデックスを決定し得る。いくつかのケースでは、パラメータは、各セル（例えば、異なる基地局１０５）について、及び送信（例えば、ダウンリンク及び／又はアップリンク送信）に関連付けられた１つのサブセット又は全てのサブフレームについて構成され得る。
【００８７】
[0093]パラメータを構成し、ＭＣＳインデックスを決定すると、基地局１０５は、ＵＥ１１５にパラメータとＭＣＳインデックスとを含むメッセージを送信し得る。ＵＥ１１５は、メッセージを受信し、第１のＴＴＩ及び第２のＴＴＩに関連付けられた送信を通信するための変調テーブルを選択し得る。ＵＥ１１５は、ｓＰＤＣＣＨを介してメッセージを受信し得る。メッセージは、リソースの割り振り、又は１つ又は複数の物理チャネルについての構成情報、又はＣＱＩ報告、又はそれらの任意の組み合わせを含み得る。構成情報は、第１のＴＴＩ及び第２のＴＴＩについての送信構成を含み得、ＣＱＩ報告は、構成情報に部分的に基づき得る。
【００８８】
[0094]ＵＥ１１５は、パラメータが有効にされるか又は無効にされるかを決定し得る。いくつかのケースでは、変調テーブルを選択することは、パラメータが有効にされるかどうかを決定することに部分的に基づき得る。ＵＥ１１５はまた、ｓＰＤＣＣＨに関連付けられたＤＣＩフォーマットを決定し、ｓＰＤＣＣＨに関連付けられたＣＲＣがＵＥ１１５のＣ−ＲＮＴＩを用いてスクランブルされると決定し得る。いくつかのケースでは、ＵＥ１１５は、パラメータが有効にされると決定することに部分的に基づいて、ＤＣＩフォーマットがＤＣＩフォーマットのリストからの許容可能なＤＣＩフォーマットであると決定することと、ＣＲＣがＵＥのＣ−ＲＮＴＩを用いてスクランブルされると決定することと、ＭＣＳインデックスに部分的に基づいて、変調テーブル中で変調次数を決定することとを行い得る。いくつかのケースでは、変調テーブルを選択することは、パラメータが有効にされるか、又はＤＣＩフォーマットが許容可能なＤＣＩフォーマットであるか、又はＣＲＣがＣ−ＲＮＴＩを用いてスクランブルされるか、又はそれらの任意の組み合わせであると決定することに部分的に基づき得る。ＵＥ１１５は、ＭＣＳインデックスに部分的に基づいて、選択された変調テーブル中で変調次数を決定し得る。
【００８９】
[0095]いくつかのワイヤレス通信システムでは、スロットは、１つ又は複数のシンボルを包含する複数のミニスロットに更に分割され得る。いくつかの事例では、ミニスロットのシンボル又はミニスロットは、スケジューリングの最小単位であり得る。各シンボルは、例えば、動作のサブキャリア間隔又は周波数帯域に応じて持続時間が異なり得る。更に、いくつかのワイヤレス通信システムは、複数のスロット又はミニスロットが共に集約され、ＵＥ１１５と基地局１０５との間の通信のために使用される、スロットアグリゲーションをインプリメントし得る。
【００９０】
[0096]「キャリア」という用語は、通信リンク１２５を通した通信をサポートするための定義された物理レイヤ構造を有する無線周波数スペクトルリソースのセットを指す。例えば、通信リンク１２５のキャリアは、所与の無線アクセス技術のための物理レイヤチャネルに従って動作される無線周波数スペクトル帯域の一部分を含み得る。各物理レイヤチャネルは、ユーザデータ、制御情報、又は他のシグナリングを搬送し得る。キャリアは、予め定義された周波数チャネル（例えば、Ｅ−ＵＴＲＡ絶対無線周波数チャネル番号（ＥＡＲＦＣＮ：E-UTRA absolute radio frequency channel number））に関連付けられ得、ＵＥ１１５による発見のためのチャネルラスタに従って位置付けられ得る。キャリアは、（例えば、ＦＤＤモードでは）ダウンリンク若しくはアップリンクであり得るか、又は（例えば、ＴＤＤモードでは）ダウンリンク及びアップリンク通信を搬送するように構成され得る。いくつかの例では、キャリアを通して送信される信号波形は、（例えば、ＯＦＤＭ又はＤＦＴ−ｓ−ＯＦＤＭなどのマルチキャリア変調（ＭＣＭ）技法を使用して）複数のサブキャリアから構成され得る。
【００９１】
[0097]キャリアの編成構造は、無線アクセス技術（例えば、ＬＴＥ、ＬＴＥ−Ａ、ＬＴＥ−Ａプロ、ＮＲ、等）によって異なり得る。例えば、キャリアを通した通信は、ＴＴＩ又はスロットに従って編成され得、それらの各々は、ユーザデータ並びにユーザデータの復号をサポートするための制御情報又はシグナリングを含み得る。キャリアはまた、専用獲得シグナリング（例えば、同期信号又はシステム情報、等）と、キャリアのための動作を調整する制御シグナリングとを含み得る。いくつかの例では（例えば、キャリアアグリゲーション構成では）、キャリアはまた、他のキャリアのための動作を調整する獲得シグナリング又は制御シグナリングを有し得る。
【００９２】
[0098]物理チャネルは、様々な技法に従ってキャリア上で多重化され得る。物理制御チャネル及び物理データチャネルは、例えば、時分割多重化（ＴＤＭ）技法、周波数分割多重化（ＦＤＭ）技法、又はハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間（例えば、共通制御領域又は共通探索空間と１つ又は複数のＵＥ固有制御領域又はＵＥ固有探索空間との間）に分散され得る。
【００９３】
[0099]キャリアは、無線周波数スペクトルの特定の帯域幅に関連付けられ得、いくつかの例では、キャリア帯域幅は、キャリア又はシステム１００の「システム帯域幅」と呼ばれ得る。例えば、キャリア帯域幅は、特定の無線アクセス技術のキャリアのためのいくつかの所定の帯域幅（例えば、１．４、３、５、１０、１５、２０、４０、又は８０ＭＨｚ）のうちの１つであり得る。いくつかの例では、各サービングされるＵＥ１１５は、キャリア帯域幅の一部分又は全てを通して動作するように構成され得る。他の例では、いくつかのＵＥ１１５は、キャリア内の予め定義された部分又は範囲（例えば、サブキャリア又はＲＢのセット）に関連付けられたナローバンドプロトコルタイプを使用する動作（例えば、ナローバンドプロトコルタイプの「インバンド（in-band）」展開）のために構成され得る。
【００９４】
[0100]ＭＣＭ技法を用いるシステムでは、リソース要素は、１つのシンボル期間（例えば、１つの変調シンボルの持続時間）と１つのサブキャリアとから成り得、ここで、シンボル期間とサブキャリア間隔とは、逆相関する。各リソース要素によって搬送されるビットの数は、変調方式（例えば、変調方式の次数）に依存し得る。このことから、ＵＥ１１５が受信するリソース要素がより多いほど、及び変調方式の次数がより高いほど、ＵＥ１１５のデータレートはより高くなり得る。ＭＩＭＯシステムでは、ワイヤレス通信リソースは、無線周波数スペクトルリソースと、時間リソースと、空間リソース（例えば、空間レイヤ）との組み合わせを指し得、複数の空間レイヤの使用は、ＵＥ１１５との通信のためのデータレートを更に増大させ得る。
【００９５】
[0101]システム１００のデバイス（例えば、基地局１０５又はＵＥ１１５）は、特定のキャリア帯域幅を通した通信をサポートするハードウェア構成を有し得るか、又はキャリア帯域幅のセットのうちの１つを通した通信をサポートするように構成可能であり得る。いくつかの例では、システム１００は、１つより多くの異なるキャリア帯域幅に関連付けられたキャリアを介した同時通信をサポートすることができる基地局１０５及び／又はＵＥを含み得る。システム１００は、複数のセル又はキャリア上でのＵＥ１１５との通信、即ち、キャリアアグリゲーション（ＣＡ）又はマルチキャリア動作と呼ばれ得る特徴をサポートし得る。ＵＥ１１５は、キャリアアグリゲーション構成に従って、複数のダウンリンクＣＣ及び１つ又は複数のアップリンクＣＣで構成され得る。キャリアアグリゲーションは、ＦＤＤコンポーネントキャリアとＴＤＤコンポーネントキャリアとの両方で使用され得る。
【００９６】
[0102]いくつかのケースでは、システム１００は、拡張コンポーネントキャリア（ｅＣＣ）を利用し得る。ｅＣＣは、より広いキャリア又は周波数チャネル帯域幅、より短いシンボル持続時間、より短いＴＴＩ持続時間、又は修正された制御チャネル構成を含む、１つ又は複数の特徴によって特徴付けられ得る。いくつかのケースでは、ｅＣＣは、（例えば、複数のサービングセルが準最適の又は理想的でないバックホールリンクを有するとき）デュアルコネクティビティ構成又はキャリアアグリゲーション構成に関連付けられ得る。
【００９７】
[0103]ｅＣＣはまた、（例えば、１つより多くのオペレータがスペクトルを使用することを許可される）アンライセンススペクトル又は共有スペクトル中での使用のために構成され得る。広いキャリア帯域幅によって特徴付けられるｅＣＣは、キャリア帯域幅全体を監視することが可能でないか、又は（例えば、電力を節約するために）制限されたキャリア帯域幅を使用するように別様に構成されたＵＥ１１５によって利用され得る１つ又は複数のセグメントを含み得る。いくつかのケースでは、ｅＣＣは、他のＣＣとは異なるシンボル持続時間を利用し得、それは、他のＣＣのシンボル持続時間と比較して、低減されたシンボル持続時間の使用を含み得る。より短いシンボル持続時間は、隣接するサブキャリア間の増大した間隔に関連付けられ得る。ｅＣＣを利用するＵＥ１１５又は基地局１０５などのデバイスは、低減されたシンボル持続時間（例えば、１６．６７マイクロ秒）で（例えば、２０、４０、６０、８０ＭＨｚ、等の周波数チャネル又はキャリア帯域幅に従って）ワイドバンド信号を送信し得る。ｅＣＣにおけるＴＴＩは、１つ又は複数のシンボル期間から成り得る。いくつかのケースでは、ＴＴＩ持続時間（即ち、ＴＴＩ中のシンボル期間の数）は、可変であり得る。
【００９８】
[0104]ＮＲシステムなどのワイヤレス通信システムは、とりわけ、ライセンス、共有、及びアンライセンススペクトル帯域の任意の組み合わせを利用し得る。ｅＣＣシンボル持続時間及びサブキャリア間隔の柔軟性は、複数のスペクトルにわたるｅＣＣの使用を可能にし得る。いくつかの例では、ＮＲ共有スペクトルは、リソースの動的垂直（例えば、周波数にわたる）及び水平（例えば、時間にわたる）共有を特に通じて、スペクトル利用及びスペクトル効率を増大させ得る。
【００９９】
[0105]図２は、本開示の様々な態様による、変調テーブル決定及びＣＱＩ報告をサポートするワイヤレス通信システム２００の一例を例示する。いくつかの例では、ワイヤレス通信システム２００は、ワイヤレス通信システム１００の態様をインプリメントし得る。ワイヤレス通信システム２００は、基地局２０５及びＵＥ２１５を含み得、それらは、図１を参照して本明細書で説明された対応するデバイスの例であり得る。図２の例では、ワイヤレス通信システム２００は、第４世代（４Ｇ）ＬＴＥ又はＬＴＥ−Ａなどの無線アクセス技術（ＲＡＴ）に従って動作し得るが、本明細書で説明される技法は、任意のＲＡＴに、及び２つ以上の異なるＲＡＴ、例えば、４Ｇ ＬＴＥ、ＬＴＥ−Ａ、及び５Ｇ ＮＲを同時に使用し得るワイヤレス通信システムに適用され得る。
【０１００】
[0106]基地局２０５は、カバレッジエリア２１０内でＵＥ２１５との接続（例えば、双方向リンク２２０）を確立し得る。基地局２０５及びＵＥ２１５は、双方向リンク２２０を使用して１つ又は複数のフレームを通信し得る。各フレームは、０から９まで番号付けされた１０個の１ｍｓサブフレーム（例えば、ＳＦ0〜ＳＦ9）を含み得る。サブフレームは、２つの０．５ｍｓスロットに更に分割され得、それらの各々は、６又は７つの変調シンボル期間を包含し得る。いくつかのケースでは、サブフレームは、ＴＴＩとしても知られる最小スケジューリング単位であり得る。他のケースでは、ＴＴＩは、サブフレームより短くあり得、ｓＴＴＩと呼ばれ得る。例えば、基地局２０５は、ＴＴＩ２２５若しくはｓＴＴＩ２３０、又はその両方の間に情報（例えば、制御情報及びデータ）を通信し得る。
【０１０１】
[0107]いくつかの例では、基地局２０５及びＵＥ２１５は、接続プロシージャ（例えば、セル獲得プロシージャ、ランダムアクセスチャネル（ＲＡＣＨ）プロシージャ、ＲＲＣ接続プロシージャ、ＲＲＣ構成プロシージャ）を実行することによって、双方向リンク２２０を確立し得る。いくつかのケースでは、接続プロシージャ中に、基地局２０５は、ＵＥ２１５のためのリソース（例えば、時間及び周波数リソース）を割り振り得る。リソースは、1つのサブキャリアに１つの変調シンボル期間にわたるいくつかのリソース要素を含み得る。各リソース要素は、変調方式（例えば、１６ＱＡＭ、６４ＱＡＭ）に応じて、２、４、又は６つの物理チャネルビットを搬送し得る。加えて又は代替として、１０２４ＱＡＭなどのより高次（higher order）の変調方式が、基地局２０５及びＵＥ２１５によってサポートされ得る。基地局２０５は、リソース要素をリソースブロック（ＲＢ）にグループ化し得、各ＲＢは、１８０ｋＨｚ（即ち、１２個のサブキャリア）に０．５ｍｓ（即ち、１つのスロット）にわたり得る。基地局２０５は、ＲＢの単位で各サブフレーム内の変調シンボル期間及びサブキャリアを割り振ることによって、周波数依存スケジューリングのためにＲＢを使用し得る。
【０１０２】
[0108]基地局２０５は、双方向リンク２２０を介してＵＥ２１５に制御情報を含むメッセージを送信し得る。一例では、メッセージは、ＲＲＣメッセージであり得、それを基地局２０５は、ＲＲＣシグナリングを介してＵＥ２１５に通信し得る。別の例では、基地局２０５は、物理ダウンリンク制御チャネル（ＰＤＣＣＨ）又はｓＰＤＣＣＨ上で、ＤＣＩ中で制御情報を送信し得る。例えば、ＴＴＩ２２５の場合、基地局２０５は、ＰＤＣＣＨ上でＤＣＩを通信し得、ｓＴＴＩ２３０−ａ又はｓＴＴＩ２３０−ｂの場合、基地局２０５は、ｓＰＤＣＣＨ上でｓＤＣＩを通信し得る。基地局２０５は、ＵＥ２１５に異なる制御情報を通信するために、異なるフォーマットを使用し得る。例えば、ＤＣＩフォーマットは、ＤＣＩフォーマット１、ＤＣＩフォーマット１Ｂ、ＤＣＩフォーマット１Ｄ、ＤＣＩフォーマット２、ＤＣＩフォーマット２Ａ、ＤＣＩフォーマット２Ｂ、ＤＣＩフォーマット２Ｃ、及びＤＣＩフォーマット２Ｄを含み得る。ｓＤＣＩフォーマットは、ｓＤＣＩフォーマット７−１Ｂ、ｓＤＣＩフォーマット７−１Ｃ、ｓＤＣＩフォーマット７−１Ｄ、ｓＤＣＩフォーマット７−１Ｅ、ｓＤＣＩフォーマット７−１Ｆ、及びｓＤＣＩフォーマット７−１Ｇを含み得る。いくつかのケースでは、基地局２０５は、ｓＴＴＩ２３０のための１つ又は複数のｓＤＣＩフォーマットを構成し得るか、又は事前構成されたｓＤＣＩフォーマットを修正し得る。
【０１０３】
[0109]メッセージは、ＴＴＩ２２５の一部分又はｓＴＴＩ２３０のうちの少なくとも１つの間に、例えば、制御領域の間に、ＵＥ２１５に送信され得る。メッセージ中の制御情報は、ＵＥ２１５に、次に来るデータ送信と、そのデータがどのようにＵＥ２１５に送信されることになるかに関する情報、例えば、データの量、割り振られるリソース、ＣＱＩ報告構成、及びＭＣＳインデックスなどの構成パラメータとを示し得る。基地局２０５は、より高次の変調（例えば、６４ＱＡＭ、２５６ＱＡＭ）を使用して、制御情報を含むメッセージを送信し得る。基地局２０５及びＵＥ２１５によって使用される変調方式は、静的又は動的であり得る。例えば、変調方式は、チャネル条件、等に基づいて、異なるｓＴＴＩ及び／又はＴＴＩにわたって異なり得る。
【０１０４】
[0110]基地局２０５は、いくつかのケースでは、ＵＥ２１５に一意のＣ−ＲＮＴＩを割り当て得る。ＵＥ２１５に制御情報を送信するより前に、基地局２０５は、制御情報にＣＲＣを添付し得る。例えば、基地局２０５は、ｓＤＣＩにＣＲＣを付加し得る。いくつかの例では、ＣＲＣは、スクランブルビットシーケンスを用いてスクランブルされ得る。スクランブルビットシーケンスは、ペイロードのビット（例えば、ｓＤＣＩ）と、誤り検出コードのビットのビット（例えば、１つ又は複数のＣＲＣビット）とを含み得る。いくつかの例では、スクランブリングビットシーケンスは、異なるＣ−ＲＮＴＩであり得る。例えば、基地局２０５は、Ｃ−ＲＮＴＩスクランブリングビットシーケンスを使用して、ＣＲＣを含む制御情報をスクランブルし得る。基地局２０５は、ダウンリンク制御チャネル（例えば、ｓＰＤＣＣＨ）上でＵＥ２１５に制御情報を送信し得る。
【０１０５】
[0111]ＵＥ２１５は、基地局２０５から受信された制御情報を受信及び復調し得る。例えば、ＵＥ２１５は、例えば、ｓＰＤＳＣＨ上での次回のデータ送信内に含まれる情報と、データがどのように送信されることになるかに関する情報とを識別するために、制御情報を復号し得る。いくつかのケースでは、制御情報を受信すると、ＵＥ２１５は、１つ又は複数のメトリックを識別するために、測定（例えば、ＳＩＮＲ）を実行し得る。ＵＥ２１５は、データチャネルに関連する（例えば、ｓＰＤＣＣＨ送信の）チャネル品質を識別するために、この測定を実行し得る。ＵＥ２１５は、測定に基づいてダウンリンク制御チャネル（例えば、ｓＰＤＣＣＨ）のサブバンドのためのコードレートを決定し得る。いくつかのケースでは、ＵＥ２１５はまた、コードレートに基づいてアグリゲーションレベルを決定し得る。他の例では、ＵＥ２１５は、測定に基づいて、ＣＱＩ、プリコーディング行列インジケータ（ＰＭＩ）、プリコーディングタイプインジケータ（ＰＴＩ）、又はランクインジケータ（ＲＩ）を決定し得る。いくつかの例では、ＣＱＩを決定するために、ＵＥ２１５は、以下で更に詳細に説明されるように、ＣＱＩテーブルを調べ得る。ＵＥ２１５は、チャネル品質フィードバックデータ（例えば、ＣＱＩ値）を生成し、基地局２０５に送信し得る。
【０１０６】
[0112]基地局２０５は、ｓＰＤＳＣＨなどのダウンリンク物理チャネル上でデータを送信し得、それをＵＥ２１５は、（受信された制御情報に基づいて）認識し、基地局２０５から受信し得る。いくつかのケースでは、データは、１つ又は２つのトランスポートブロックを含み得、その持続時間は、ＴＴＩ２２５又はｓＴＴＩ２３０のうちの１つ又は複数にわたり得る。ＵＥ２１５は、データを受信し、ＭＣＳインデックス及び変調テーブル（例えば、６４ＱＡＭ、２５６ＱＡＭ、又は１０２４ＱＡＭをサポートする変調テーブル）に基づいてトランスポートブロックを復調し得る。加えて、ＵＥ２１５は、基地局２０５にＣＱＩ（又はチャネル状態情報（ＣＳＩ））を報告するためのＣＱＩテーブル中のＣＱＩインデックスを選択し得る。いくつかのケースでは、ワイヤレス通信システム２００は、送信を復調するためにＵＥ２１５によって使用される複数の変調テーブルをサポートし得る。変調テーブル及びＣＱＩテーブルは、ＵＥの能力に基づいてＵＥ２１５によって選択され得る。
【０１０７】
[0113]いくつかのケースでは、ＵＥ２１５は、ＭＣＳをサポートするための能力を決定し得る。例えば、ＵＥ２１５は、ＴＴＩ又はｓＴＴＩに関連付けられた１つ又は複数のスケジュールされた送信のためのＭＣＳをサポートすることができるかどうかを決定し得る。例えば、ＵＥ２１５は、ＴＴＩ２２５及び／又はｓＴＴＩ２３０のための６４ＱＡＭ又は２５６ＱＡＭをサポートすることができるかどうかを決定し得る。加えて又は代替として、ＵＥ２１５は、ＴＴＩ又はｓＴＴＩについての１０２４ＱＡＭなどのより高いＭＣＳをサポートすることが可能であり得る。いくつかの例では、ＵＥ２１５は、ｓＴＴＩの長さに基づいて、ｓＴＴＩ中にスケジュールされた送信のためのＭＣＳをサポートするための能力を決定し得る。例えば、ＵＥ２１５は、ｓＴＴＩ２３０−ａが２５６ＱＡＭをサポートする長さを有し、ｓＴＴＩ２３０−ｂがｓＴＴＩ２３０−ａより短い長さを有し、６４ＱＡＭをサポートすると決定し得る。いくつかのケースでは、ＵＥ２１５は、閾値長を満たすｓＴＴＩの長さに基づいて、ｓＴＴＩ中にスケジュールされた送信のためのＭＣＳをサポートするための能力を決定し得る。
【０１０８】
[0114]ＵＥ２１５は、サポートされるＭＣＳを示すＵＥ能力メッセージを基地局２０５に通信し得る。例えば、ＵＥ能力メッセージは、ＵＥ２１５によってサポートされるＭＣＳを示すためのＩＥを含み得る。加えて、ＵＥ能力メッセージは、ＲＲＣシグナリングを介して基地局２０５に通信され得る。いくつかの例では、ｓＴＴＩ又はＴＴＩにスケジュール及び関連付けられた送信は、ダウンリンク送信若しくはアップリンク送信、又はその両方用であり得る。ＵＥ２１５は、ｓＴＴＩ又はＴＴＩに関連付けられたＵＥの能力を別個に又は一緒に報告し得る。例えば、ＵＥ２１５は、ＴＴＩ２２５、ｓＴＴＩ２３０−ａ、及びｓＴＴＩ２３０−ｂのための単一のＵＥ能力メッセージを送信し得る。
【０１０９】
[0115]代替として、ＵＥ２１５は、ｓＴＴＩ及びＴＴＩについての別個のＵＥ能力メッセージを送信し得る。例えば、ＵＥ２１５は、ＴＴＩ２２５に関連付けられた第１のＵＥ能力メッセージと、ｓＴＴＩ２３０−ａ又はｓＴＴＩ２３０−ｂに関連付けられた、第１のＵＥ能力メッセージとは異なる第２のＵＥ能力メッセージとを送信し得る。ＵＥ２１５は、異なるｓＴＴＩ（例えば、ｓＴＴＩ２３０−ａ及びｓＴＴＩ２３０−ｂ）についての別個のＵＥ能力メッセージを送信し得る。代替として、ＵＥ２１５は、ｓＴＴＩが同じ長さ（例えば、持続時間）を有するか異なる長さを有するかにかかわらず、複数のｓＴＴＩ（例えば、ｓＴＴＩ２３０−ａ及びｓＴＴＩ２３０−ｂ）について、１つの組み合わされたＵＥ能力メッセージを送信し得る。いくつかの例では、ＴＴＩ２２５は、ダウンリンク通信に関連付けられ得、ｓＴＴＩ２３０−ａ又はｓＴＴＩ２３０−ｂは、アップリンク通信に関連付けられ得る。代替として、ＴＴＩ２２５は、アップリンク通信に関連付けられ得、ｓＴＴＩ２３０−ａ又はｓＴＴＩ２３０−ｂは、ダウンリンク通信に関連付けられ得る。これらの例では、ＵＥ２１５は、ダウンリンク及びアップリンク用の別個のＵＥ能力メッセージを送信し得る。ＵＥ能力メッセージは、いくつかの例では、ダウンリンク若しくはアップリンク、又はその両方においてＵＥ２１５によってサポートされる変調方式のインジケーションを提供し得る。例えば、ＵＥ能力メッセージ中のフィールド（例えば、ｄｌ−１０２４ＱＡＭ−Ｓｌｏｔ−ｒ１５、ｄｌ−１０２４ＱＡＭ−ＳｕｂｓｌｏｔＴＡ−ｒ１５、ｄｌ−１０２４ＱＡＭ−ＳｕｂｓｌｏｔＴＡ−２−ｒ１５）は、ＵＥ２１５がスロットＴＴＩ動作のために、又はサブスロットＴＴＩ動作のために周波数スペクトル帯域上のダウンリンクのための１０２４ＱＡＭをサポートするというインジケーションを提供し得る。加えて又は代替として、ＵＥ能力メッセージ中のフィールド（例えば、ｕｌ−２５６ＱＡＭ−Ｓｌｏｔ−ｒ１５、ｕｌ−２５６ＱＡＭ−Ｓｕｂｓｌｏｔ−ｒ１５）は、ＵＥ２１５が、スロットＴＴＩ動作のために、若しくはサブスロットＴＴＩ動作のために、又はその両方のために周波数スペクトル帯域上のアップリンクのための２５６ＱＡＭをサポートするというインジケーションを提供し得る。
【０１１０】
[0116]ＵＥ２１５は、ＰＤＳＣＨ又はｓＰＤＳＣＨなどのダウンリンク物理チャネル上でデータを受信する。データは、１つ又は２つのトランスポートブロックを含み得、その持続時間は、ＴＴＩ２２５又はｓＴＴＩ２３０にわたり得る。データを受信することの一部として、ＵＥ２１５は、ＭＣＳインデックスと変調テーブル（例えば、６４ＱＡＭ又は２５６ＱＡＭをサポートする変調テーブル）とに基づいてトランスポートブロックを復調し得る。制御情報に関連する上記の例を参照すると、基地局２０５は、ＵＥ能力メッセージ中で提供される能力に基づいてＭＣＳインデックスを送信し得る。基地局２０５はまた、ＵＥ２１５からＵＥ能力メッセージ中で受信された能力に基づいて、ＲＲＣパラメータ（例えば、ａｌｔＣＱＩ−Ｔａｂｌｅ−ＳＴＴＩ−ｒ１５）などの上位レイヤパラメータを構成し得る。ＲＲＣパラメータなどの上位レイヤパラメータは、ａｌｔＣＱＩ−Ｔａｂｌｅ−ＳＴＴＩ−１５、ａｌｔＣＱＩ−Ｔａｂｌｅ−１０２４ＱＡＭ、ｔｂｓＩｎｄｅｘＡｌｔ−ＳＴＴＩ、ｔｂｓＩｎｄｅｘＡｌｔ２−ＳＴＴＩ、ｔｂｓＩｎｄｅｘＡｌｔ３−ＳＴＴＩと呼ばれ得る。ＲＲＣパラメータは、異なる用語（例えば、ａｌｔＣＱＩ−Ｔａｂｌｅ−ＳＴＴＩ−１５、ｔｂｓＩｎｄｅｘＡｌｔ−ＳＴＴＩ、ｔｂｓＩｎｄｅｘＡｌｔ２−ＳＴＴＩ、ｔｂｓＩｎｄｅｘＡｌｔ３−ＳＴＴＩ）によって呼ばれ得るが、ＲＲＣパラメータを定義する異なる用語は、それに関連付けられた同じ又は同様の機能及び動作を有し得ることが理解されるべきである。いくつかのケースでは、パラメータは、各セル（例えば、サービング基地局及び近隣基地局）について、及び送信（例えば、ダウンリンク及び／又はアップリンク送信）に関連付けられた１つのサブセット又は全てのサブフレームについて構成され得る。
【０１１１】
[0117]いくつかの例では、パラメータは、ＵＥ２１５が基地局２０５にＣＱＩフィードバックを提供するために使用し得るＴＢＳインデックス（又はＴＢＳテーブル）の適用可能性を示し得る。例えば、上位レイヤパラメータ（例えば、ｔｂｓＩｎｄｅｘＡｌｔ−ＳＴＴＩ）は、第１のＤＣＩフォーマット（例えば、ＤＣＩフォーマット７−１Ｆ、ＤＣＩフォーマット７−１Ｇ）によってスケジュールされた１つ又は複数のスロットサブスロット、ｓＴＴＩ、ＴＴＩについてのＴＢＳインデックスの適用可能性を示し得る。ここで、ＴＢＳインデックスは、例えば、構成された上位レイヤパラメータに部分的に基づいて３３であり得る。いくつかの例では、上位レイヤパラメータ（例えば、ｔｂｓＩｎｄｅｘＡｌｔ２−ＳＴＴＩ）は、第２のＤＣＩフォーマット（例えば、ＤＣＩフォーマット７−１Ｂ、ＤＣＩフォーマット７−１Ｃ、ＤＣＩフォーマット７−１Ｄ）によってスケジュールされた１つ又は複数のスロットサブスロット、ｓＴＴＩ、ＴＴＩについてのＴＢＳインデックスの適用可能性を示し得る。ここで、ＴＢＳインデックスは、例えば、構成された上位レイヤパラメータに部分的に基づいて３３／Ｂであり得る。他の例では、上位レイヤパラメータ（例えば、ｔｂｓＩｎｄｅｘＡｌｔ３−ＳＴＴＩ）は、第３のＤＣＩフォーマット（例えば、ＤＣＩフォーマット７−１Ｂ、ＤＣＩフォーマット７−１Ｃ、ＤＣＩフォーマット７−１Ｄ）によってスケジュールされた１つ又は複数のスロットサブスロット、ｓＴＴＩ、ＴＴＩについてのＴＢＳインデックスの適用可能性を示し得る。ここで、ＴＢＳインデックスは、例えば、構成された上位レイヤパラメータに部分的に基づいて３７Ａ／／Ｂであり得る。ＴＢＳインデックスは、ＣＱＩテーブルの一部であり得る。いくつかの例では、上位レイヤパラメータが構成されない場合、ＵＥ２１５は、デフォルトＴＢＳ（例えば、事前構成されたＴＢＳ）を使用し得る。
【０１１２】
[0118]パラメータは、基地局２０５にＣＱＩフィードバックを提供するためにＵＥ２１５が使用し得るＣＱＩテーブルの適用可能性を示し得る。加えて、パラメータは、ＵＥ２１５（及び基地局２０５に関連付けられた関係するサービングセル）のための非周期的ＣＳＩ報告と周期的ＣＳＩ報告との両方のためのＣＱＩテーブルの適用可能性を含み得る。上位レイヤパラメータは、加えて又は代替として、ＴＴＩ２２５及び／又はｓＴＴＩ２３０のうちの少なくとも１つの間に基地局２０５からの送信を復調又は基地局２０５への送信を変調する際にＵＥ２１５が使用するための（例えば、最大６４ＱＡＭ、２５６ＱＡＭ、又は１０２４ＱＡＭまでサポートする）変調テーブルを示し得る変調テーブルインジケータを含み得る。いくつかのケースでは、基地局２０５は、ＵＥ２１５によって提供されるＵＥ能力（即ち、特定のＭＣＳをサポートするための情報）に基づいて上位レイヤパラメータを構成し得る。基地局２０５は、上位レイヤパラメータを別個に又は一緒に構成し得る。例えば、基地局２０５は、ＴＴＩ２２５及びｓＴＴＩ２３０のために上位レイヤパラメータを相互に、又はＴＴＩ２２５及びｓＴＴＩ２３０の各々のために別個に上位レイヤパラメータを構成し得る。
【０１１３】
[0119]上位レイヤパラメータはまた、基地局２０５によってサブパラメータのセットからの少なくとも１つのサブパラメータを用いて構成され得る。例えば、サブパラメータのセットは、｛ａｌｌＳｕｂｆｒａｍｅｓ、ｃｓｉ−ＳｕｂｆｒａｍｅｓＳｅｔ１、ｃｓｉ−ＳｕｂｆｒａｍｅＳｅｔ２、ｓｐａｒｅ１｝を含み得る。ＵＥ２１５は、割り当てられたサブパラメータに基づいて、変調テーブルを選択した後にＣＱＩテーブルを選択し得る。いくつかのケースでは、サブパラメータは、ｓＴＴＩ２３０−ａ及びｓＴＴＩ２３０−ｂなどの異なるｓＴＴＩのために構成され得る。即ち、ＣＱＩ構成のためのサブパラメータに基づいて、第１の構成がｓＴＴＩ２３０−ａに適用され得、第２の構成がｓＴＴＩ２３０−ｂに適用され得るか、または、同じ構成が両方のｓＴＴＩ２３０に適用され得る。
【０１１４】
[0120]例えば、構成されたパラメータは、ＣＱＩフィードバックを構成するためのサブパラメータのセットを含み得る。セットは、｛ａｌｌＳｕｂｆｒａｍｅｓ、ｃｓｉ−ＳｕｂｆｒａｍｅＳｅｔ１、ｃｓｉ−ＳｕｂｆｒａｍｅＳｅｔ２、ｓｐａｒｅ１｝を含み得る。ＵＥ２１５は、セットのサブパラメータのうちの少なくとも１つに基づいて、基地局２０５に非周期的又は周期的ＣＱＩ報告を提供し得る。サブパラメータは、基地局２０５によって構成され得る。一例では、サブパラメータがａｌｌＳｕｂｆｒａｍｅｓに設定される場合、ＣＱＩテーブルは、全てのサブフレーム（又はｓＴＴＩ、ＴＴＩ）に適用され得る。代替として、サブパラメータがｃｓｉ−ＳｕｂｆｒａｍｅＳｅｔ１に設定される場合、ＣＱＩテーブルは、ＣＳＩサブフレームセット１に適用され得るか、又はサブパラメータがｃｓｉ−ＳｕｂｆｒａｍｅＳｅｔ２に設定される場合、ＣＱＩテーブルは、ＳＳＩサブフレームセット２に適用され得る。
【０１１５】
[0121]いくつかのケースでは、ＵＥ２１５は、特定のＭＣＳをサポートし、上位レイヤパラメータが構成され、且つｓＤＣＩフォーマットがＤＣＩフォーマットのリストからの許容可能なＤＣＩフォーマットであると決定するＵＥの能力に基づいて、ＣＱＩ報告のためのＣＱＩテーブルを選択し得る。例えば、ＣＱＩテーブルの選択は、ｓＰＤＳＣＨが特定のｓＤＣＩフォーマット（例えば、ｓＤＣＩフォーマット７−１Ｂ、ｓＤＣＩフォーマット７−１Ｃ、ｓＤＣＩフォーマット７−１Ｄ、ｓＤＣＩフォーマット７−１Ｅ、ｓＤＣＩフォーマット７−１Ｆ、及び／又はｓＤＣＩフォーマット７−１Ｇ）を有するｓＰＤＣＣＨによって割り当てられ、ｓＰＤＣＣＨがＣ−ＲＮＴＩを用いてスクランブルされるとＵＥ２１５が決定することに基づき得る。基地局２０５は、Ｃ−ＲＮＴＩスクランブリングビットシーケンスを使用して、ＣＲＣを含むｓＤＣＩをスクランブルし得る。
【０１１６】
[0122]そのため、ｓＴＴＩに関連付けられた送信のための変調テーブルの選択は、上位レイヤパラメータが構成される（例えば、有効にされる）か、又はＤＣＩフォーマットが許容可能なＤＣＩフォーマットであるか、又はＣＲＣがＣ−ＲＮＴＩを用いてスクランブルされるか、又はそれらの任意の組み合わせであると決定することに基づき得る。ＵＥ２１５は、ＴＴＩ２２５及び／又はｓＴＴＩ２３０に関連付けられた送信のためのデフォルト変調テーブルを用いて構成され得る。代替として、ＵＥ２１５は、ＤＣＩ又はｓＤＣＩ中で搬送されたＩＥフィールド中で提供された変調テーブルインジケータに基づいて変調テーブルを選択し得る。例えば、ＵＥ２１５は、ＩＥフィールドのビット値に基づいて、変調テーブルを識別し得る。
【０１１７】
[0123]いくつかの例では、上位レイヤパラメータが構成され、且つａｌｌＳｕｂｆｒａｍｅｓに設定されると決定することに基づいて、ＵＥ２１５は、ＣＱＩ報告を送信するために（例えば、最大２５６ＱＡＭまでサポートする）第１のＣＱＩテーブルを選択し得る。例えば、上位レイヤパラメータ（例えば、ａｌｔＣＱＩ−ＴａｂｌｅＳＴＴＩ−ｒ１５）のサブパラメータのセットからの少なくとも１つのサブパラメータ（例えば、ａｌｌＳｕｂｆｒａｍｅｓ）が構成／設定される場合、及び非周期的ＣＳＩが特定のＤＣＩフォーマット（例えば、ＤＣＩフォーマット７−０Ａ又は７−０Ｂ）に部分的に基づいてトリガされるとき、ＵＥ２１５は、ＣＱＩ報告に適切なＣＱＩテーブルを選択し得る。代替として、上位レイヤパラメータ（例えば、ａｌｔＣＱＩ−Ｔａｂｌｅ１０２４ＱＡＭ−ＳＴＴＩ−ｒ１５）のサブパラメータのセットからの少なくとも１つのサブパラメータ（例えば、ａｌｌＳｕｂｆｒａｍｅｓ）が構成／設定される場合、及び非周期的ＣＳＩが特定のＤＣＩフォーマット（例えば、ＤＣＩフォーマット７−０Ａ又は７−０Ｂ）に部分的に基づいてトリガされるとき、ＵＥ２１５は、ＣＱＩ報告のための異なるＣＱＩテーブルを選択し得る。
【０１１８】
[0124]代替として、ＵＥ２１５は、ｃｓｉ−ＳｕｂｆｒａｍｅＳｅｔ１又はｃｓｉ−ＳｕｂｆｒａｍｅＳｅｔ２に構成及び設定されている上位レイヤパラメータに基づいて、第１のＣＱＩテーブルを選択し得る。このケースでは、ＵＥ２１５は、第１のＣＱＩテーブルに従って、及び上位レイヤパラメータ（例えば、ｃｓｉ−ＳｕｂｆｒａｍｅＳｅｔ１又はｃｓｉ−ＳｕｂｆｒａｍｅＳｅｔ２）によって構成されたサブフレームに対応する、ＣＱＩ報告を送信し得るか、又はＵＥ２１５は、他のセット（即ち、ｃｓｉ−ＳｕｂｆｒａｍｅＳｅｔ１又はｃｓｉ−ＳｕｂｆｒａｍｅＳｅｔ２）のための（例えば、６４ＱＡＭまでサポートする）第２のＣＱＩテーブルに従ってＣＱＩ報告を送信し得る。例えば、上位レイヤパラメータ（例えば、ａｌｔＣＱＩ−ＴａｂｌｅＳＴＴＩ−ｒ１５）のサブパラメータのセットからの少なくとも１つのサブパラメータ（例えば、ｃｓｉ−ＳｕｂｆｒａｍｅＳｅｔ１又はｃｓｉ−ＳｕｂｆｒａｍｅＳｅｔ２）が構成／設定される場合、及び非周期的ＣＳＩがＤＣＩフォーマット（例えば、ＤＣＩフォーマット７−０Ａ又は７−０Ｂ）に部分的に基づいてトリガされるとき、ＵＥ２１５は、上位レイヤパラメータ（例えば、ａｌｔＣＱＩ−ＴａｂｌｅＳＴＴＩ−ｒ１５）によって構成された対応するＣＳＩサブフレームのためのＣＱＩ報告に適切なＣＱＩテーブルを選択し得る。代替として、上位レイヤパラメータ（例えば、ａｌｔＣＱＩ−Ｔａｂｌｅ１０２４ＱＡＭ−ＳＴＴＩ−ｒ１５）のサブパラメータのセットからの少なくとも１つのサブパラメータ（例えば、ｃｓｉ−ＳｕｂｆｒａｍｅＳｅｔ１又はｃｓｉ−ＳｕｂｆｒａｍｅＳｅｔ２）が構成／設定される場合、及び非周期的ＣＳＩがＤＣＩフォーマット（例えば、ＤＣＩフォーマット７−０Ａ又は７−０Ｂ）に部分的に基づいてトリガされるとき、ＵＥ２１５は、上位レイヤパラメータ（例えば、ａｌｔＣＱＩ−Ｔａｂｌｅ１０２４ＱＡＭ−ＳＴＴＩ−ｒ１５）によって構成された対応するＣＳＩサブフレームのためのＣＱＩ報告に適切なＣＱＩテーブルを選択し得る。この例では、ＵＥ２１５は、異なるＣＱＩテーブルに従って他のＣＳＩサブフレームセットのためのＣＱＩを報告し得る。
【０１１９】
[0125]いくつかの例では、ＵＥ２１５は、選択をＤＣＩフォーマットに基づくことなく、上位レイヤパラメータによって構成された対応するＣＳＩサブフレームのためのＣＱＩ報告に適切なＣＱＩテーブルを選択し得る。例えば、上位レイヤパラメータ（例えば、ａｌｔＣＱＩ−Ｔａｂｌｅ−ｒ１２）のサブパラメータのセットからの少なくとも１つのサブパラメータ（例えば、ａｌｌＳｕｂｆｒａｍｅｓ）が構成／設定される場合、ＵＥ２１５は、上位レイヤパラメータ（例えば、ａｌｔＣＱＩ−Ｔａｂｌｅ−ｒ１２）によって構成された対応するＣＳＩサブフレームのためのＣＱＩ報告に適切なＣＱＩテーブルを選択し得る。他の例では、上位レイヤパラメータ（例えば、ａｌｔＣＱＩ−Ｔａｂｌｅ−１０２４ＱＡＭ−ｒ１５）のサブパラメータのセットからの少なくとも１つのサブパラメータ（例えば、ａｌｌＳｕｂｆｒａｍｅｓ）が構成／設定される場合、ＵＥ２１５は、上位レイヤパラメータ（例えば、ａｌｔＣＱＩ−Ｔａｂｌｅ−ｒ１２）によって構成された対応するＣＳＩサブフレームのためのＣＱＩ報告に適切なＣＱＩテーブルを選択し得る。
【０１２０】
[0126]いくつかのケースでは、上位レイヤが構成されない（例えば、無効にされる）とＵＥ２１５が決定する場合、ＵＥ２１５は、デフォルトＣＱＩテーブル（例えば、最大６４ＱＡＭまでサポートするＣＱＩテーブル）に従ってＣＱＩ報告を送信するように構成され得る。基地局２０５は、ＵＥ２１５からＣＱＩ報告を受信し得、いくつかのケースでは、ＣＱＩ報告に基づいてＵＥ２１５のためのＭＣＳを調整し得る。
【０１２１】
[0127]ＵＥ２１５は、上位レイヤパラメータとＵＥ２１５の決定された能力とに基づいて、ＴＴＩ２２５及び／又はｓＴＴＩ２３０に関連付けられた送信を、基地局２０５へアップリンク通信する（例えば、変調又は復調トランスポートブロック）のための変調テーブルを選択し得る。例えば、ＵＥ２１５は、ＵＥ能力と、構成されている（例えば、有効又は無効にされている）上位レイヤパラメータとに少なくとも部分的に基づいて、２５６ＱＡＭをサポートする変調テーブルを選択し得る。ＵＥ２１５は、受信されたＭＣＳインデックスに基づいて、選択された変調テーブル中で変調次数を決定し得る。代替として、ＵＥ２１５は、ｓＤＣＩフォーマットが許容不可能なフォーマットであり、ｓＤＣＩがＣ−ＲＮＴＩを用いてスクランブルされていないと決定することに基づいて、ＰＤＳＣＨ中の復調トランスポートブロックのために使用される変調次数を決定するために、６４ＱＡＭをサポートする変調テーブルを選択し得る。
【０１２２】
[0128]ＵＥ２１５はまた、ｓＰＵＳＣＨ又はＰＵＳＣＨ上でアップリンク制御情報（ＵＣＩ）を含むアップリンクデータを基地局２０５に送信し得る。いくつかのケースでは、ＵＥ２１５は、スケジューリング要求、ダウンリンクデータ確認応答及び否定確認応答（ＡＣＫ／ＮＡＣＫ）（例えば、ハイブリッドＡＲＱ（ＨＡＲＱ）フィードバック）、並びにＣＱＩなど、ＰＵＣＣＨ上で他の様々な制御シグナリングを提供し得る。いくつかの例では、フィードバックは、ＵＥ２１５がＰＤＳＣＨ上でそれを対象とするデータを決定し、ＵＥ２１５がＰＤＳＣＨデータ上でいかなる送信エラーも検出しなかった場合、ＡＣＫであり得る。代替として、ＵＥ２１５は、ＵＥ２１５がＰＤＳＣＨ上でそれを対象とするデータを認識したが、ＵＥ２１５がＰＤＳＣＨデータ上で何らかの送信エラーを検出した場合、ＮＡＣＫを送信し得る。
【０１２３】
[0129]ＵＥ２１５はまた、ＴＴＩ２２５及び／又はｓＴＴＩ２３０に関連付けられたアップリンク送信のための変調次数を決定し得る。アップリンク送信のための変調次数は、ＵＥ能力（例えば、ＵＥ２１５が６４ＱＡＭ又は２５６ＱＡＭをサポートするかどうか）、トランスポートブロック送信（例えば、トランスポートブロックが、新しい又は事前構成されたＤＣＩフォーマット（例えば、ｓＤＣＩフォーマット７−１Ｂ、ｓＤＣＩフォーマット７−１Ｃ、ｓＤＣＩフォーマット７−１Ｄ、ｓＤＣＩフォーマット７−１Ｅ、ｓＤＣＩフォーマット７−１Ｆ、及び／又はｓＤＣＩフォーマット７−１Ｇ、又はＤＣＩフォーマット０／４）に従う許可と共に最初に送信されたかどうか）、又はＰＵＳＣＨ送信（例えば、ＰＵＳＣＨ送信が、ＲＡＣＨプロシージャ中に受信された許可によって開始されるかどうか）、又はそれらの任意の組み合わせに基づいて選択された変調テーブル中で決定され得る。いくつかのケースでは、ＵＥ２１５は、同じトランスポートブロックのための初期ＰＵＳＣＨが半永続的にスケジュールされるとき、（例えば、ＰＤＣＣＨ又は拡張ｅＰＤＣＣＨ中で）受信された最近の半永続的スケジューリング割り当てに基づいて変調次数を決定し得る。ＵＥ２１５は、代替として、ＰＵＳＣＨがＲＡＣＨ応答許可によって開始されるとき、同じトランスポートブロックのためのＲＡＣＨ応答許可に基づいて変調次数を決定し得る。
【０１２４】
[0130]図３は、本開示の様々な態様による、変調テーブル決定及びＣＱＩ報告をサポートするプロセスフロー３００の例を例示する。いくつかの例では、プロセスフロー３００は、ワイヤレス通信システム１００及び２００の態様をインプリメントし得る。プロセスフロー３００の動作は、本明細書で説明されるＵＥ若しくは基地局又はそのコンポーネントによってインプリメントされ得る。例えば、プロセスフロー３００の動作は、基地局３０５及びＵＥ３１５によってインプリメントされ得る。いくつかの例では、基地局３０５及びＵＥ３１５は、基地局３０５及びＵＥ３１５の機能的な要素を制御するためのコードのセットを実行し得る。基地局３０５及びＵＥ３１５は、図１及び２を参照して説明された対応するデバイスの例であり得る。
【０１２５】
[0131]プロセスフロー３００の以下の説明では、基地局３０５とＵＥ３１５との間の動作は、示された例証的な順序とは異なる順序で送信され得るか、又は基地局３０５及びＵＥ３１５によって実行される動作は、異なる順序で若しくは異なる時間に実行され得る。ある特定の動作はまた、プロセスフロー３００から除外され得るか、又は他の動作が、プロセスフロー３００に追加され得る。
【０１２６】
[0132]いくつかの例では、プロセスフロー３００は、基地局３０５がＵＥ３１５との接続を確立する（例えば、セル獲得プロシージャ、ランダムアクセスプロシージャ、ＲＲＣ接続プロシージャ、ＲＲＣ構成プロシージャを実行する）ことから開始し得る。
【０１２７】
[0133]３２５において、ＵＥ３１５は、１つ又は複数のＴＴＩに関連付けられた少なくとも１つの変調次数についてのＵＥ３１５の能力を決定し得る。変調次数は、６４ＱＡＭ、２５６ＱＡＭ、又は１０２４ＱＡＭなどのＭＣＳに関連付けられ得る。いくつかのケースでは、ＴＴＩのうちのいくつかは、ｓＴＴＩであり得る。例えば、第１のＴＴＩは、１ｍｓの持続時間を有し得、第２のＴＴＩは、１ｍｓ未満（例えば、０．５ｍｓ）の持続時間を有するｓＴＴＩであり得る。ＵＥ３１５が能力を決定した後、ＵＥ３１５は、ＵＥ３１５の能力を示すＵＥ能力メッセージを生成し得る。
【０１２８】
[0134]３３０において、ＵＥ３１５は、基地局３０５にＵＥ能力メッセージを送信し得る。いくつかの例では、ＵＥ能力メッセージは、ダウンリンク若しくはアップリンク、又はその両方用であり得る。いくつかのケースでは、ＵＥ３１５は、単一のＵＥ能力メッセージ中で任意のｓＴＴＩを含む１つ又は複数のＴＴＩに関連付けられた能力を提供し得る。代替として、ＵＥ３１５は、ＴＴＩ及びｓＴＴＩについての別個のＵＥ能力メッセージを送信し得る。第１のＴＴＩとｓＴＴＩである第２のＴＴＩとの例では、ＵＥ３１５は、第１のＵＥ能力メッセージ中で第１のＴＴＩに関連付けられたＵＥの能力を、及び第２のＵＥ能力メッセージ中で第２のＴＴＩに関連付けられたＵＥの能力を示し得る。加えて、ＵＥ３１５がいくつかのｓＴＴＩ中に１つ又は複数の送信のためにスケジュールされるケースでは、ＵＥ３１５は、ｓＴＴＩの各々についてのＵＥの能力の別個のインジケーションを提供し得る。いくつかのケースでは、能力は、ＴＴＩ及び／又はｓＴＴＩのうちの１つ又は各々のためにＵＥによってサポートされるＭＣＳを示し得る。
【０１２９】
[0135]３３５において、基地局３０５は、ＵＥ能力メッセージに基づいて、変調次数に関連付けられたパラメータを構成し得る。いくつかの例では、パラメータは、上位レイヤパラメータ（例えば、ａｌｔＣＱＩ−Ｔａｂｌｅ−ＳＴＴＩ−ｒ１５）であり得る。パラメータは、ＵＥ３１５が基地局３０５にＣＱＩフィードバックを提供するために使用し得るＣＱＩテーブルの適用可能性を示し得る。加えて、パラメータは、ＵＥ３１５のための非周期的ＣＳＩ報告と周期的ＣＳＩ報告との両方のためのＣＱＩテーブルの適用可能性を含み得る。いくつかのケースでは、パラメータを構成することは、構成メッセージ中のフィールドを有効又は無効にすることを含み得る。例えば、パラメータは、ＲＲＣ構成メッセージの一部であり得る。基地局３０５は、ビット値を介してパラメータを有効又は無効にし得る。そのため、ビット値に基づいて、ＵＥ３１５は、パラメータが構成されるかどうかを決定することが可能であり得る。
【０１３０】
[0136]３４０において、基地局３０５は、例えば、現在のチャネル条件、サポートするＭＣＳなど、ＵＥ能力メッセージ中で提供された情報に基づいて、ＭＣＳインデックスを決定し得る。３４５において、基地局３０５は、構成メッセージを送信し得る。構成メッセージは、例えば、パラメータ及びＭＣＳインデックスを含み得る。
【０１３１】
[0137]３５０において、ＵＥ３１５は、１つ又は複数のＴＴＩに関連付けられた送信を通信するための変調テーブルを選択し得る。ＵＥ３１５は、ＭＣＳインデックスに基づいて、選択された変調テーブル中で変調次数を決定し得る。加えて、ＵＥ３１５は、構成されたパラメータに基づいてＣＱＩテーブルを選択することによって、基地局３０５にＣＱＩフィードバックを提供し得る。例えば、構成されたパラメータは、ＣＱＩフィードバックを構成するためのサブパラメータのセットを含み得る。セットは、｛ａｌｌＳｕｂｆｒａｍｅｓ、ｃｓｉ−ＳｕｂｆｒａｍｅＳｅｔ１、ｃｓｉ−ＳｕｂｆｒａｍｅＳｅｔ２、ｓｐａｒｅ１｝を含み得る。ＵＥ３１５は、セットのサブパラメータのうちの少なくとも１つに基づいて、基地局３０５に非周期的又は周期的ＣＱＩ報告を提供し得る。サブパラメータは、基地局３０５によって構成され得る。一例では、サブパラメータがａｌｌＳｕｂｆｒａｍｅｓに設定される場合、ＣＱＩテーブルは、全てのサブフレーム（又はｓＴＴＩ、ＴＴＩ）に適用され得る。代替として、サブパラメータがｃｓｉ−ＳｕｂｆｒａｍｅＳｅｔ１に設定される場合、ＣＱＩテーブルは、ＣＳＩサブフレームセット１に適用され得、又は、サブパラメータがｃｓｉ−ＳｕｂｆｒａｍｅＳｅｔ２に設定される場合、ＣＱＩテーブルは、ＳＳＩサブフレームセット２に適用され得る。いくつかのケースでは、ＣＱＩテーブルの適用可能性は、ＵＥ能力（例えば、ＵＥ３１５がある特定のＭＣＳをサポートするかどうか）、パラメータが構成されるかどうか（例えば、有効にされるか又は無効にされるか）に基づき得る、及び／又は、１つ又は複数のｓＴＴＩ及び／又はＴＴＩに関連付けられた送信（例えば、ｓＰＤＳＣＨ）をスケジュールするために使用されるＤＣＩフォーマットに基づき得る。そのため、ＵＥ３１５は、通信リンク３５５を使用して、ＣＱＩフィードバックを含む１つ又は複数のＴＴＩに関連付けられた送信を通信し得る。
【０１３２】
[0138]図４は、本開示の態様による、変調テーブル決定及びＣＱＩ報告をサポートするワイヤレスデバイス４０５のブロック図４００を示す。ワイヤレスデバイス４０５は、本明細書で説明されたＵＥ１１５の態様の一例であり得る。ワイヤレスデバイス４０５は、受信機４１０、ＵＥ通信マネージャ４１５、及び送信機４２０を含み得る。ワイヤレスデバイス４０５はまた、プロセッサを含み得る。これらのコンポーネントの各々は、（例えば、１つ又は複数のバスを介して）互いと通信状態にあり得る。
【０１３３】
[0139]受信機４１０は、様々な情報チャネル（例えば、変調テーブル決定及びＣＱＩ報告に関連する情報、データチャネル、及び制御チャネル、等）に関連付けられた制御情報、ユーザデータ、又はパケットなどの情報を受信し得る。情報は、デバイスの他のコンポーネントに渡され得る。受信機４１０は、図７を参照して説明されるトランシーバ７３５の態様の一例であり得る。受信機４１０は、単一のアンテナ又はアンテナのセットを利用し得る。
【０１３４】
[0140]受信機４１０は、ＵＥ能力メッセージに基づいて、パラメータとＭＣＳインデックスとを含むメッセージを受信し、ｓＰＤＣＣＨを介してメッセージを受信し得る。いくつかのケースでは、メッセージはまた、リソースの割り振り、又は１つ又は複数の物理チャネルについての構成情報、又はＣＱＩ報告、又はそれらの任意の組み合わせを含み得る。いくつかのケースでは、構成情報は、第１のＴＴＩ及び第２のＴＴＩについての送信構成を含み、ＣＱＩ報告は、構成情報に基づく。いくつかのケースでは、パラメータは、６４ＱＡＭ、２５６ＱＡＭ、又は１０２４ＱＡＭについてのＵＥの能力のインジケーションを含む。いくつかのケースでは、パラメータは、上位レイヤパラメータである。
【０１３５】
[0141]ＵＥ通信マネージャ４１５は、図７を参照して説明されるＵＥ通信マネージャ７１５の態様の一例であり得る。ＵＥ通信マネージャ４１５及び／又はその様々なサブコンポーネントのうちの少なくともいくつかは、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、ＵＥ通信マネージャ４１５及び／又はその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）若しくは他のプログラマブルロジックデバイス、ディスクリートゲート若しくはトランジスタロジック、ディスクリートハードウェアコンポーネント、又は本開示で説明される機能を実行するように設計されたそれらの任意の組み合わせによって実行され得る。
【０１３６】
[0142]ＵＥ通信マネージャ４１５及び／又はその様々なサブコンポーネントのうちの少なくともいくつかは、機能の一部分が１つ又は複数の物理的デバイスによって異なる物理的ロケーションにおいてインプリメントされるように分散されることを含め、様々な位置に物理的にロケートされ得る。いくつかの例では、ＵＥ通信マネージャ４１５及び／又はその様々なサブコンポーネントのうちの少なくともいくつかは、本開示の様々な態様による、別個の及び異なるコンポーネントであり得る。他の例では、ＵＥ通信マネージャ４１５及び／又はその様々なサブコンポーネントのうちの少なくともいくつかは、本開示の様々な態様による、Ｉ／Ｏコンポーネント、トランシーバ、ネットワークサーバ、別のコンピューティングデバイス、本開示で説明される１つ又は複数の他のコンポーネント、又はそれらの組み合わせを含むがそれらに限定されない、１つ又は複数の他のハードウェアコンポーネントと組み合わされ得る。
【０１３７】
[0143]ＵＥ通信マネージャ４１５は、第１のＴＴＩと第１のＴＴＩより短い第２のＴＴＩとに関連付けられた少なくとも１つの変調次数についてのＵＥの能力を決定し、メッセージを受信することに基づいて、第１のＴＴＩ及び第２のＴＴＩに関連付けられた送信を基地局に通信するための変調テーブルを選択し得る。
【０１３８】
[0144]送信機４２０は、デバイスの他のコンポーネントによって生成される信号を送信し得る。いくつかの例では、送信機４２０は、トランシーバモジュール中で受信機４１０とコロケートされ得る。例えば、送信機４２０は、図７を参照して説明されるトランシーバ７３５の態様の一例であり得る。送信機４２０は、単一のアンテナ又はアンテナのセットを利用し得る。
【０１３９】
[0145]送信機４２０は、ＵＥの能力を決定することに基づいて、ＵＥ能力メッセージを送信し得る。送信機４２０は、第２のＴＴＩについてのＵＥの能力を示す、ＵＥ能力メッセージとは別個である第２のＵＥ能力情報メッセージを送信し得る。送信機４２０は、ｓＴＴＩのセットのうちの少なくともいくつかのｓＴＴＩについてのＵＥ能力メッセージを送信し得る。パラメータとＭＣＳインデックスとは、ｓＴＴＩセットに関連付けられ得るか、又は各ｓＴＴＩは、別個のパラメータとＭＣＳインデックスとに関連付けられる。いくつかのケースでは、ＵＥ能力メッセージは、ｓＴＴＩのセットに関連付けられる。いくつかの例では、送信機４２０は、ＵＥ能力メッセージとは別個である第２のＵＥ能力メッセージを送信し得る。いくつかの例では、ＵＥ能力メッセージは、アップリンク用であり得、第２のＵＥ能力メッセージは、ダウンリンク用であり得る、又はその逆も同様である。
【０１４０】
[0146]図５は、本開示の態様による、変調テーブル決定及びＣＱＩ報告をサポートするワイヤレスデバイス５０５のブロック図５００を示す。ワイヤレスデバイス５０５は、図４を参照して説明されたワイヤレスデバイス４０５又はＵＥ１１５の態様の一例であり得る。ワイヤレスデバイス５０５は、受信機５１０、ＵＥ通信マネージャ５１５、及び送信機５２０を含み得る。ワイヤレスデバイス５０５はまた、プロセッサを含み得る。これらのコンポーネントの各々は、（例えば、１つ又は複数のバスを介して）互いと通信状態にあり得る。
【０１４１】
[0147]受信機５１０は、様々な情報チャネル（例えば、変調テーブル決定及びＣＱＩ報告に関連する情報、データチャネル、及び制御チャネル、等）に関連付けられた制御情報、ユーザデータ、又はパケットなどの情報を受信し得る。情報は、デバイスの他のコンポーネントに渡され得る。受信機５１０は、図７を参照して説明されるトランシーバ７３５の態様の一例であり得る。受信機５１０は、単一のアンテナ又はアンテナのセットを利用し得る。
【０１４２】
[0148]ＵＥ通信マネージャ５１５は、図７を参照して説明されるＵＥ通信マネージャ７１５の態様の一例であり得る。ＵＥ通信マネージャ５１５はまた、能力コンポーネント５２５及び選択コンポーネント５３０を含み得る。
【０１４３】
[0149]能力コンポーネント５２５は、第１のＴＴＩと第１のＴＴＩより短い第２のＴＴＩとに関連付けられた少なくとも１つの変調次数についてのＵＥの能力を決定し得る。いくつかのケースでは、第２のＴＴＩは、ｓＴＴＩである。いくつかのケースでは、ＵＥ能力メッセージは、第１のＴＴＩと第２のＴＴＩとの両方についてのＵＥの能力を含む。いくつかのケースでは、第２のＴＴＩは、ｓＴＴＩのセットを含む。いくつかのケースでは、ｓＴＴＩの少なくともサブセットは、可変長を含む。
【０１４４】
[0150]選択コンポーネント５３０は、メッセージを受信することに基づいて、第１のＴＴＩ及び第２のＴＴＩに関連付けられた送信を基地局に通信するための変調テーブルを選択し得る。選択コンポーネント５３０は、パラメータが有効にされるか又は無効にされるかを決定し得る。いくつかの例では、変調テーブルを選択することは、パラメータが有効にされるかどうかを決定することに基づく。選択コンポーネント５３０は、ＩＥフィールドのビット値に基づいて、変調テーブルを識別し得る。いくつかの例では、変調テーブルを選択することは、識別することに基づく。
【０１４５】
[0151]選択コンポーネント５３０は、ＵＥに関連付けられたＣ−ＲＮＴＩを含むメッセージについてダウンリンク制御チャネルを監視し得る。いくつかの例では、変調テーブルを選択することは、Ｃ−ＲＮＴＩを含むメッセージに更に基づく。選択コンポーネント５３０は、受信されたＭＣＳインデックスに基づいて、アップリンク送信のための変調テーブルを選択し得る。いくつかのケースでは、ＵＥは、第１のＴＴＩ及び第２のＴＴＩに関連付けられた送信のためのデフォルト変調テーブルを用いて構成される。いくつかのケースでは、送信は、ダウンリンク送信又はアップリンク送信である。
【０１４６】
[0152]送信機５２０は、デバイスの他のコンポーネントによって生成される信号を送信し得る。いくつかの例では、送信機５２０は、トランシーバモジュール中で受信機５１０とコロケートされ得る。例えば、送信機５２０は、図７を参照して説明されるトランシーバ７３５の態様の一例であり得る。送信機５２０は、単一のアンテナ又はアンテナのセットを利用し得る。
【０１４７】
[0153]図６は、本開示の態様による、変調テーブル決定及びＣＱＩ報告をサポートするＵＥ通信マネージャ６１５のブロック図６００を示す。ＵＥ通信マネージャ６１５は、図４、５、及び７を参照して説明されるＵＥ通信マネージャ４１５、ＵＥ通信マネージャ５１５、又はＵＥ通信マネージャ７１５の態様の一例であり得る。ＵＥ通信マネージャ６１５は、能力コンポーネント６２０と、選択コンポーネント６２５と、ＤＣＩフォーマットコンポーネント６３０と、ＣＲＣコンポーネント６３５と、変調次数コンポーネント６４０と、ＤＣＩコンポーネント６４５と、ＣＱＩコンポーネント６５０とを含み得る。これらのモジュールの各々は、（例えば、１つ又は複数のバスを介して）互いと直接又は間接的に通信し得る。
【０１４８】
[0154]能力コンポーネント６２０は、第１のＴＴＩと第１のＴＴＩより短い第２のＴＴＩとに関連付けられた少なくとも１つの変調次数についてのＵＥの能力を決定し得る。いくつかのケースでは、第２のＴＴＩは、ｓＴＴＩである。いくつかのケースでは、ＵＥ能力メッセージは、第１のＴＴＩと第２のＴＴＩとの両方についてのＵＥの能力を含む。いくつかのケースでは、第２のＴＴＩは、いくつかのｓＴＴＩを含む。いくつかのケースでは、ｓＴＴＩの少なくともサブセットは、可変長であり得る。
【０１４９】
[0155]選択コンポーネント６２５は、メッセージを受信することに基づいて、第１のＴＴＩ及び第２のＴＴＩに関連付けられた送信を基地局に通信するための変調テーブルを選択し得る。選択コンポーネント６２５は、パラメータが有効にされるか又は無効にされるかを決定し得る。いくつかの例では、変調テーブルを選択することは、パラメータが有効にされるかどうかを決定することに基づく。選択コンポーネント６２５は、ＩＥフィールドのビット値に基づいて、変調テーブルを識別し得る。いくつかの例では、変調テーブルを選択することは、識別することに基づく。選択コンポーネント６２５は、ＵＥに関連付けられたＣ−ＲＮＴＩを含むメッセージについてダウンリンク制御チャネルを監視し得る。いくつかの例では、変調テーブルを選択することは、Ｃ−ＲＮＴＩを含むメッセージに更に基づく。選択コンポーネント６２５は、受信されたＭＣＳインデックスに基づいて、アップリンク送信のための変調テーブルを選択し得る。いくつかのケースでは、ＵＥは、第１のＴＴＩ及び第２のＴＴＩに関連付けられた送信のためのデフォルト変調テーブルを用いて構成される。いくつかのケースでは、送信は、ダウンリンク送信又はアップリンク送信である。
【０１５０】
[0156]ＤＣＩフォーマットコンポーネント６３０は、ｓＰＤＣＣＨに関連付けられたＤＣＩフォーマットを決定し、パラメータが有効にされると決定することに基づいて、ＤＣＩフォーマットがＤＣＩフォーマットのリストからの許容可能なＤＣＩフォーマットであると決定し得る。ＣＲＣコンポーネント６３５は、ｓＰＤＣＣＨに関連付けられたＣＲＣがＵＥのＣ−ＲＮＴＩを用いてスクランブルされると決定し、ＣＲＣがＵＥのＣ−ＲＮＴＩを用いてスクランブルされると決定し得る。
【０１５１】
[0157]変調次数コンポーネント６４０は、ＭＣＳインデックスに基づいて、変調テーブル中で変調次数を決定し得る。いくつかの例では、変調テーブルを選択することは、パラメータが有効にされるか、又はＤＣＩフォーマットが許容可能なＤＣＩフォーマットであるか、又はＣＲＣがＣ−ＲＮＴＩを用いてスクランブルされるか、又はそれらの任意の組み合わせであると決定することに基づく。変調次数コンポーネント６４０は、ＭＣＳインデックスに基づいて、選択された変調テーブル中で変調次数を決定し得る。いくつかの例では、変調テーブルを選択することは、パラメータが無効されると決定することに基づく。変調次数コンポーネント６４０は、ＭＣＳインデックスに基づいて、選択された変調テーブル中で変調次数を決定し得る。変調次数コンポーネント６４０は、受信されたメッセージに関連付けられたＤＣＩフォーマットおよびＭＣＳインデックスに基づいて、アップリンク送信のための選択された変調テーブル中で変調次数を決定し得る。変調次数コンポーネント６４０は、半永続的スケジューリング又はランダムアクセス応答許可に基づいて、アップリンク送信のための変調次数を決定し得る。
【０１５２】
[0158]ＤＣＩコンポーネント６４５は、変調テーブルインジケータのためのＩＥフィールドを含むＤＣＩを受信し得る。ＣＱＩコンポーネント６５０は、ＣＱＩ報告構成に基づいて、ＣＱＩテーブルを選択し得る。いくつかのケースでは、ＣＱＩ報告に関連付けられたＣＱＩ報告構成は、ＣＱＩテーブルが第１のＴＴＩ若しくは第２のＴＴＩ、又はその両方に適用されることを示す。
【０１５３】
[0159]図７は、本開示の態様による、変調テーブル決定及びＣＱＩ報告をサポートするデバイス７０５を含むシステム７００の図を示す。デバイス７０５は、例えば、図４及び５を参照して上述されたワイヤレスデバイス４０５、ワイヤレスデバイス５０５、又はＵＥ１１５のコンポーネントの例であり得るか、又はそれらを含み得る。デバイス７０５は、ＵＥ通信マネージャ７１５、プロセッサ７２０、メモリ７２５、ソフトウェア７３０、トランシーバ７３５、アンテナ７４０、及びＩ／Ｏコントローラ７４５を含む、通信を送信及び受信するためのコンポーネントを含む双方向音声及びデータ通信のためのコンポーネントを含み得る。これらのコンポーネントは、１つ又は複数のバス（例えば、バス７１０）を介して電子通信状態にあり得る。デバイス７０５は、１つ又は複数の基地局１０５とワイヤレスに通信し得る。
【０１５４】
[0160]プロセッサ７２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲート又はトランジスタロジックコンポーネント、ディスクリートハードウェアコンポーネント、又はそれらの任意の組み合わせ）を含み得る。いくつかのケースでは、プロセッサ７２０は、メモリコントローラを使用してメモリアレイを動作させるように構成され得る。他のケースでは、メモリコントローラは、プロセッサ７２０に統合され得る。プロセッサ７２０は、様々な機能（例えば、変調テーブル決定及びＣＱＩ報告をサポートする機能又はタスク）を実行するために、メモリ中に記憶されたコンピュータ可読命令を実行するように構成され得る。
【０１５５】
[0161]メモリ７２５は、ランダムアクセスメモリ（ＲＡＭ）及び読取専用メモリ（ＲＯＭ）を含み得る。メモリ７２５は、実行されると、プロセッサに、本明細書で説明された様々な機能を実行することを行わせる命令を含むコンピュータ可読、コンピュータ実行可能ソフトウェア７３０を記憶し得る。いくつかのケースでは、メモリ７２５は、中でもとりわけ、周辺コンポーネント又はデバイスとの対話などの基本ハードウェア又はソフトウェア動作を制御し得る基本入力／出力システム（ＢＩＯＳ：basic input/output system）を包含し得る。
【０１５６】
[0162]ソフトウェア７３０は、変調テーブル決定及びＣＱＩ報告をサポートするためのコードを含む、本開示の態様をインプリメントするためのコードを含み得る。ソフトウェア７３０は、システムメモリ又は他のメモリなどの非一時的コンピュータ可読媒体中に記憶され得る。いくつかのケースでは、ソフトウェア７３０は、プロセッサによって直接実行可能でないことがあるが、（例えば、コンパイル及び実行されると）コンピュータに、本明細書で説明された機能を実行させ得る。
【０１５７】
[0163]トランシーバ７３５は、上述されたように、１つ又は複数のアンテナ、ワイヤード又はワイヤレスリンクを介して双方向に通信し得る。例えば、トランシーバ７３５は、ワイヤレストランシーバを表し得、別のワイヤレストランシーバと双方向に通信し得る。トランシーバ７３５はまた、パケットを変調し、送信のためにアンテナに変調されたパケットを提供することと、アンテナから受信されたパケットを復調することとを行うためのモデムを含み得る。いくつかのケースでは、デバイス７０５は、単一のアンテナ７４０を含み得る。しかしながら、いくつかのケースでは、デバイス７０５は、複数のワイヤレス送信を同時に送信又は受信することが可能であり得る、１つより多くのアンテナ７４０を有し得る。
【０１５８】
[0164]Ｉ／Ｏコントローラ７４５は、デバイス７０５のための入力及び出力信号を管理し得る。Ｉ／Ｏコントローラ７４５はまた、デバイス７０５に統合されていない周辺機器を管理し得る。いくつかのケースでは、Ｉ／Ｏコントローラ７４５は、外部周辺機器への物理接続又はポートを表し得る。いくつかのケースでは、Ｉ／Ｏコントローラ７４５は、ｉＯＳ、ＡＮＤＲＯＩＤ（登録商標）、ＭＳ−ＤＯＳ、ＭＳ−ＷＩＮＤＯＷＳ（登録商標）、ＯＳ／２、ＵＮＩＸ（登録商標）、ＬＩＮＵＸ（登録商標）、又は別の知られているオペレーティングシステムなどのオペレーティングシステムを利用し得る。他のケースでは、Ｉ／Ｏコントローラ７４５は、モデム、キーボード、マウス、タッチスクリーン、又は同様のデバイスを表し得るか、又はそれらと対話し得る。いくつかのケースでは、Ｉ／Ｏコントローラ７４５は、プロセッサの一部としてインプリメントされ得る。いくつかのケースでは、ユーザは、Ｉ／Ｏコントローラ７４５を介して、又はＩ／Ｏコントローラ７４５によって制御されるハードウェアコンポーネントを介して、デバイス７０５と対話し得る。
【０１５９】
[0165]図８は、本開示の態様による、変調テーブル決定及びＣＱＩ報告をサポートするワイヤレスデバイス８０５のブロック図８００を示す。ワイヤレスデバイス８０５は、本明細書で説明された基地局１０５の態様の一例であり得る。ワイヤレスデバイス８０５は、受信機８１０、基地局通信マネージャ８１５、及び送信機８２０を含み得る。ワイヤレスデバイス８０５はまた、プロセッサを含み得る。これらのコンポーネントの各々は、（例えば、１つ又は複数のバスを介して）互いと通信状態にあり得る。
【０１６０】
[0166]受信機８１０は、様々な情報チャネル（例えば、変調テーブル決定及びＣＱＩ報告に関連する情報、データチャネル、及び制御チャネル、等）に関連付けられた制御情報、ユーザデータ、又はパケットなどの情報を受信し得る。情報は、デバイスの他のコンポーネントに渡され得る。受信機８１０は、図１０を参照して説明されるトランシーバ１０３５の態様の一例であり得る。受信機８１０は、単一のアンテナ又はアンテナのセットを利用し得る。
【０１６１】
[0167]受信機８１０は、第１のＴＴＩと第１のＴＴＩより短い第２のＴＴＩとに関連付けられた少なくとも１つの変調次数についてのＵＥ能力メッセージを受信し得る。受信機８１０は、第２のＴＴＩについての能力を示す、ＵＥ能力メッセージとは別個である第２のＵＥ能力情報メッセージを受信し得る。いくつかのケースでは、第２のＴＴＩは、ｓＴＴＩである。いくつかのケースでは、ＵＥ能力メッセージは、第１のＴＴＩと第２のＴＴＩとの両方についてのＵＥの能力を含む。いくつかのケースでは、第２のＴＴＩは、ｓＴＴＩのセットを含む。いくつかのケースでは、ＵＥ能力メッセージは、ｓＴＴＩのセットに関連付けられる。いくつかの例では、受信機８１０は、ＵＥ能力メッセージとは別個である第２のＵＥ能力メッセージを受信し得る。いくつかの例では、ＵＥ能力メッセージは、アップリンク用であり得、第２のＵＥ能力メッセージは、ダウンリンク用であり得る、又はその逆も同様である。
【０１６２】
[0168]基地局通信マネージャ８１５は、図１０を参照して説明される基地局通信マネージャ１０１５の態様の一例であり得る。基地局通信マネージャ８１５及び／又はその様々なサブコンポーネントのうちの少なくともいくつかは、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、基地局通信マネージャ８１５及び／又はその様々なサブコンポーネントのうちの少なくともいくつかの機能は、汎用プロセッサ、ＤＳＰ、ＡＳＩＣ、ＦＰＧＡ若しくは他のプログラマブルロジックデバイス、ディスクリートゲート若しくはトランジスタロジック、ディスクリートハードウェアコンポーネント、又は本開示で説明される機能を実行するように設計されたそれらの任意の組み合わせによって実行され得る。
【０１６３】
[0169]基地局通信マネージャ８１５及び／又はその様々なサブコンポーネントのうちの少なくともいくつかは、機能の一部分が１つ又は複数の物理的デバイスによって異なる物理的ロケーションにおいてインプリメントされるように分散されることを含め、様々な位置に物理的にロケートされ得る。いくつかの例では、基地局通信マネージャ８１５及び／又はその様々なサブコンポーネントのうちの少なくともいくつかは、本開示の様々な態様による、別個の及び異なるコンポーネントであり得る。他の例では、基地局通信マネージャ８１５及び／又はその様々なサブコンポーネントのうちの少なくともいくつかは、本開示の様々な態様による、Ｉ／Ｏコンポーネント、トランシーバ、ネットワークサーバ、別のコンピューティングデバイス、本開示で説明される１つ又は複数の他のコンポーネント、又はそれらの組み合わせを含むがそれらに限定されない、１つ又は複数の他のハードウェアコンポーネントと組み合わされ得る。
【０１６４】
[0170]基地局通信マネージャ８１５は、ＵＥ能力メッセージに基づいて、変調テーブルに関連付けられたパラメータを構成し、ＵＥ能力メッセージに基づいて、ＭＣＳインデックスを決定し得る。
【０１６５】
[0171]送信機８２０は、デバイスの他のコンポーネントによって生成される信号を送信し得る。いくつかの例では、送信機８２０は、トランシーバモジュール中で受信機８１０とコロケートされ得る。例えば、送信機８２０は、図１０を参照して説明されるトランシーバ１０３５の態様の一例であり得る。送信機８２０は、単一のアンテナ又はアンテナのセットを利用し得る。
【０１６６】
[0172]送信機８２０は、パラメータとＭＣＳインデックスとを含むメッセージを送信し、ｓＰＤＣＣＨを介してメッセージを送信し得る。いくつかのケースでは、メッセージは、リソースの割り振り、又は１つ又は複数の物理チャネルについての構成情報、又はＣＱＩ報告、又はそれらの任意の組み合わせを更に含む。いくつかのケースでは、構成情報は、第１のＴＴＩ及び第２のＴＴＩについての送信構成を含み、ＣＱＩ報告は、構成情報に基づく。
【０１６７】
[0173]図９は、本開示の態様による、変調テーブル決定及びＣＱＩ報告をサポートするワイヤレスデバイス９０５のブロック図９００を示す。ワイヤレスデバイス９０５は、図８を参照して説明されたワイヤレスデバイス８０５又は基地局１０５の態様の一例であり得る。ワイヤレスデバイス９０５は、受信機９１０、基地局通信マネージャ９１５、及び送信機９２０を含み得る。ワイヤレスデバイス９０５はまた、プロセッサを含み得る。これらのコンポーネントの各々は、（例えば、１つ又は複数のバスを介して）互いと通信状態にあり得る。
【０１６８】
[0174]受信機９１０は、様々な情報チャネル（例えば、変調テーブル決定及びＣＱＩ報告に関連する情報、データチャネル、及び制御チャネル、等）に関連付けられた制御情報、ユーザデータ、又はパケットなどの情報を受信し得る。情報は、デバイスの他のコンポーネントに渡され得る。受信機９１０は、図１０を参照して説明されるトランシーバ１０３５の態様の一例であり得る。受信機９１０は、単一のアンテナ又はアンテナのセットを利用し得る。
【０１６９】
[0175]基地局通信マネージャ９１５は、図１０を参照して説明される基地局通信マネージャ１０１５の態様の一例であり得る。基地局通信マネージャ９１５はまた、構成コンポーネント９２５及びＭＣＳコンポーネント９３０を含み得る。
【０１７０】
[0176]構成コンポーネント９２５は、ＵＥ能力メッセージに基づいて、変調テーブルに関連付けられたパラメータを構成し得る。構成コンポーネント９２５は、ＵＥ能力メッセージに基づいてパラメータを有効にし得る。いくつかの例では、パラメータを構成することは、ＵＥ能力メッセージに基づいてパラメータを有効又は無効にすることを含む。ＭＣＳコンポーネント９３０は、ＵＥ能力メッセージに基づいて、ＭＣＳインデックスを決定し得る。
【０１７１】
[0177]送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１０を参照して説明されるトランシーバ１０３５の態様の一例であり得る。送信機９２０は、単一のアンテナ又はアンテナのセットを利用し得る。
【０１７２】
[0178]図１０は、本開示の態様による、変調テーブル決定及びＣＱＩ報告をサポートするデバイス１００５を含むシステム１０００の図を示す。デバイス１００５は、例えば、図１を参照して上述された基地局１０５のコンポーネントの例であり得るか、又はそれらを含み得る。デバイス１００５は、基地局通信マネージャ１０１５、プロセッサ１０２０、メモリ１０２５、ソフトウェア１０３０、トランシーバ１０３５、アンテナ１０４０、ネットワーク通信マネージャ１０４５、及び局間通信マネージャ１０５０を含む、通信を送信及び受信するためのコンポーネントを含む双方向音声及びデータ通信のためのコンポーネントを含み得る。これらのコンポーネントは、１つ又は複数のバス（例えば、バス１０１０）を介して電子通信状態にあり得る。デバイス１００５は、１つ又は複数のＵＥ１１５とワイヤレスに通信し得る。
【０１７３】
[0179]プロセッサ１０２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲート又はトランジスタロジックコンポーネント、ディスクリートハードウェアコンポーネント、又はそれらの任意の組み合わせ）を含み得る。いくつかのケースでは、プロセッサ１０２０は、メモリコントローラを使用してメモリアレイを動作させるように構成され得る。他のケースでは、メモリコントローラは、プロセッサ１０２０に統合され得る。プロセッサ１０２０は、様々な機能（例えば、変調テーブル決定及びＣＱＩ報告をサポートする機能又はタスク）を実行するために、メモリ中に記憶されたコンピュータ可読命令を実行するように構成され得る。
【０１７４】
[0180]メモリ１０２５は、ＲＡＭ及びＲＯＭを含み得る。メモリ１０２５は、実行されると、プロセッサに、本明細書で説明された様々な機能を実行させる命令を含むコンピュータ可読、コンピュータ実行可能ソフトウェア１０３０を記憶し得る。いくつかのケースでは、メモリ１０２５は、中でもとりわけ、周辺コンポーネント又はデバイスとの対話などの基本ハードウェア又はソフトウェア動作を制御し得るＢＩＯＳを包含し得る。
【０１７５】
[0181]ソフトウェア１０３０は、変調テーブル決定及びＣＱＩ報告をサポートするためのコードを含む、本開示の態様をインプリメントするためのコードを含み得る。ソフトウェア１０３０は、システムメモリ又は他のメモリなどの非一時的コンピュータ可読媒体中に記憶され得る。いくつかのケースでは、ソフトウェア１０３０は、プロセッサによって直接実行可能でないことがあるが、（例えば、コンパイル及び実行されると）コンピュータに、本明細書で説明された機能を実行させ得る。
【０１７６】
[0182]トランシーバ１０３５は、上述されたように、１つ又は複数のアンテナ、ワイヤード又はワイヤレスリンクを介して双方向に通信し得る。例えば、トランシーバ１０３５は、ワイヤレストランシーバを表し得、別のワイヤレストランシーバと双方向に通信し得る。トランシーバ１０３５はまた、パケットを変調し、送信のためにアンテナに変調されたパケットを提供することと、アンテナから受信されたパケットを復調することとを行うためのモデムを含み得る。いくつかのケースでは、デバイス１００５は、単一のアンテナ１０４０を含み得る。しかしながら、いくつかのケースでは、デバイス１００５は、複数のワイヤレス送信を同時に送信又は受信することが可能であり得る、１つより多くのアンテナ１０４０を有し得る。
【０１７７】
[0183]ネットワーク通信マネージャ１０４５は、（例えば、１つ又は複数のワイヤードバックホールリンクを介して）コアネットワークとの通信を管理し得る。例えば、ネットワーク通信マネージャ１０４５は、１つ又は複数のＵＥ１１５などのクライアントデバイスのためのデータ通信の転送を管理し得る。
【０１７８】
[0184]局間通信マネージャ１０５０は、他の基地局１０５との通信を管理し得、他の基地局１０５と連携してＵＥ１１５との通信を制御するためのコントローラ又はスケジューラを含み得る。例えば、局間通信マネージャ１０５０は、ビームフォーミング又はジョイント送信などの様々な干渉緩和技法のために、ＵＥ１１５への送信のためのスケジューリングを調整し得る。いくつかの例では、局間通信マネージャ１０５０は、基地局１０５間での通信を提供するために、ＬＴＥ／ＬＴＥ−Ａワイヤレス通信ネットワーク技術内のＸ２インターフェースを提供し得る。
【０１７９】
[0185]図１１は、本開示の態様による、変調テーブル決定及びＣＱＩ報告のための方法１１００を例示するフローチャートを示す。方法１１００の動作は、本明細書で説明されたＵＥ１１５又はそのコンポーネントによってインプリメントされ得る。例えば、方法１１００の動作は、図４〜７を参照して説明されたＵＥ通信マネージャによって実行され得る。いくつかの例では、ＵＥ１１５は、以下に説明される機能を実行するために、デバイスの機能的な要素を制御するためのコードのセットを実行し得る。加えて又は代替として、ＵＥ１１５は、専用ハードウェアを使用して、以下に説明される機能の態様を実行し得る。
【０１８０】
[0186]１１０５において、ＵＥ１１５は、第１のＴＴＩと第１のＴＴＩより短い第２のＴＴＩとに関連付けられた少なくとも１つの変調次数についてのＵＥ１１５の能力を決定し得る。１１０５の動作は、本明細書で説明された方法に従って実行され得る。ある特定の例では、１１０５の動作の態様は、図４〜７を参照して説明された能力コンポーネントによって実行され得る。
【０１８１】
[0187]１１１０において、ＵＥ１１５は、ＵＥの能力を決定することに基づいて、ＵＥ能力メッセージを送信し得る。１１１０の動作は、本明細書で説明された方法に従って実行され得る。ある特定の例では、１１１０の動作の態様は、図４〜７を参照して説明された送信機によって実行され得る。
【０１８２】
[0188]１１１５において、ＵＥ１１５は、ＵＥ能力メッセージに基づく、パラメータとＭＣＳインデックスとを含むメッセージを受信し得る。いくつかの例では、パラメータは、上位レイヤパラメータであり得る。１１１５の動作は、本明細書で説明された方法に従って実行され得る。ある特定の例では、１１１５の動作の態様は、図４〜７を参照して説明された受信機によって実行され得る。
【０１８３】
[0189]１１２０において、ＵＥ１１５は、メッセージを受信することに基づいて、第１のＴＴＩ及び第２のＴＴＩに関連付けられた送信を基地局１０５に通信するための変調テーブルを選択し得る。１１２０の動作は、本明細書で説明された方法に従って実行され得る。ある特定の例では、１１２０の動作の態様は、図４〜７を参照して説明された選択コンポーネントによって実行され得る。
【０１８４】
[0190]図１２は、本開示の態様による、変調テーブル決定及びＣＱＩ報告のための方法１２００を例示するフローチャートを示す。方法１２００の動作は、本明細書で説明されたＵＥ１１５又はそのコンポーネントによってインプリメントされ得る。例えば、方法１２００の動作は、図４〜７を参照して説明されたＵＥ通信マネージャによって実行され得る。いくつかの例では、ＵＥ１１５は、以下に説明される機能を実行するために、デバイスの機能的な要素を制御するためのコードのセットを実行し得る。加えて又は代替として、ＵＥ１１５は、専用ハードウェアを使用して、以下に説明される機能の態様を実行し得る。
【０１８５】
[0191]１２０５において、ＵＥ１１５は、第１のＴＴＩと第１のＴＴＩより短い第２のＴＴＩとに関連付けられた少なくとも１つの変調次数についてのＵＥ１１５の能力を決定し得る。１２０５の動作は、本明細書で説明された方法に従って実行され得る。ある特定の例では、１２０５の動作の態様は、図４〜７を参照して説明された能力コンポーネントによって実行され得る。
【０１８６】
[0192]１２１０において、ＵＥ１１５は、ＵＥの能力を決定することに基づいて、ＵＥ能力メッセージを送信し得る。１２１０の動作は、本明細書で説明された方法に従って実行され得る。ある特定の例では、１２１０の動作の態様は、図４〜７を参照して説明された送信機によって実行され得る。
【０１８７】
[0193]１２１５において、ＵＥ１１５は、ＵＥ能力メッセージに基づく、パラメータとＭＣＳインデックスとを含むメッセージをｓＰＤＣＣＨを介して受信し得る。いくつかの例では、メッセージは、リソースの割り振り、又は１つ又は複数の物理チャネルについての構成情報、又はＣＱＩ報告、又はそれらの任意の組み合わせを更に含む。１２１５の動作は、本明細書で説明された方法に従って実行され得る。ある特定の例では、１２１５の動作の態様は、図４〜７を参照して説明された受信機によって実行され得る。
【０１８８】
[0194]１２２０において、ＵＥ１１５は、ｓＰＤＣＣＨに関連付けられるＤＣＩフォーマットを決定し得る。１２２０の動作は、本明細書で説明された方法に従って実行され得る。ある特定の例では、１２２０の動作の態様は、図４〜７を参照して説明されたＤＣＩフォーマットコンポーネントによって実行され得る。
【０１８９】
[0195]１２２５において、ＵＥ１１５は、ｓＰＤＣＣＨに関連付けられるＣＲＣがＵＥ１１５のＣ−ＲＮＴＩを用いてスクランブルされると決定し得る。１２２５の動作は、本明細書で説明された方法に従って実行され得る。ある特定の例では、１２２５の動作の態様は、図４〜７を参照して説明されたＣＲＣコンポーネントによって実行され得る。
【０１９０】
[0196]１２３０において、ＵＥ１１５は、パラメータが有効にされると決定することに基づいて、ＤＣＩフォーマットがＤＣＩフォーマットのリストからの許容可能なＤＣＩフォーマットであると決定し得る。１２３０の動作は、本明細書で説明された方法に従って実行され得る。ある特定の例では、１２３０の動作の態様は、図４〜７を参照して説明されたＤＣＩフォーマットコンポーネントによって実行され得る。
【０１９１】
[0197]１２３５において、ＵＥ１１５は、パラメータが有効にされるか、又はＤＣＩフォーマットが許容可能なＤＣＩフォーマットであるか、又はＣＲＣがＣ−ＲＮＴＩを用いてスクランブルされるか、又はそれらの任意の組み合わせであると決定することに基づいて、第１のＴＴＩ及び第２のＴＴＩに関連付けられた送信を基地局１０５に通信するための変調テーブルを選択し得る。１２３５の動作は、本明細書で説明された方法に従って実行され得る。ある特定の例では、１２３５の動作の態様は、図４〜７を参照して説明された選択コンポーネントによって実行され得る。
【０１９２】
[0198]図１３は、本開示の態様による、変調テーブル決定及びＣＱＩ報告のための方法１３００を例示するフローチャートを示す。方法１３００の動作は、本明細書で説明されたＵＥ１１５又はそのコンポーネントによってインプリメントされ得る。例えば、方法１３００の動作は、図４〜７を参照して説明されたＵＥ通信マネージャによって実行され得る。いくつかの例では、ＵＥ１１５は、以下に説明される機能を実行するために、デバイスの機能的な要素を制御するためのコードのセットを実行し得る。加えて又は代替として、ＵＥ１１５は、専用ハードウェアを使用して、以下に説明される機能の態様を実行し得る。
【０１９３】
[0199]１３０５において、ＵＥ１１５は、第１のＴＴＩと第１のＴＴＩより短い第２のＴＴＩとに関連付けられた少なくとも１つの変調次数についてのＵＥの能力を決定し得る。１３０５の動作は、本明細書で説明された方法に従って実行され得る。ある特定の例では、１３０５の動作の態様は、図４〜７を参照して説明された能力コンポーネントによって実行され得る。
【０１９４】
[0200]１３１０において、ＵＥ１１５は、ＵＥの能力を決定することに基づいて、ＵＥ能力メッセージを送信し得る。１３１０の動作は、本明細書で説明された方法に従って実行され得る。ある特定の例では、１３１０の動作の態様は、図４〜７を参照して説明された送信機によって実行され得る。
【０１９５】
[0201]１３１５において、ＵＥ１１５は、ＵＥ能力メッセージに基づく、パラメータとＭＣＳインデックスとを含むメッセージを受信し得る。いくつかの例では、パラメータは、上位レイヤパラメータ（例えば、ＲＲＣ構成パラメータ）であり得る。１３１５の動作は、本明細書で説明された方法に従って実行され得る。ある特定の例では、１３１５の動作の態様は、図４〜７を参照して説明された受信機によって実行され得る。
【０１９６】
[0202]１３２０において、ＵＥ１１５は、変調テーブルインジケータのためのＩＥフィールドを含むＤＣＩを受信し得る。１３２０の動作は、本明細書で説明された方法に従って実行され得る。ある特定の例では、１３２０の動作の態様は、図４〜７を参照して説明されたＤＣＩコンポーネントによって実行され得る。
【０１９７】
[0203]１３２５において、ＵＥ１１５は、ＩＥフィールドのビット値に基づいて、変調テーブルを識別し得る。１３２５の動作は、本明細書で説明された方法に従って実行され得る。ある特定の例では、１３２５の動作の態様は、図４〜７を参照して説明された選択コンポーネントによって実行され得る。
【０１９８】
[0204]１３３０において、ＵＥ１１５は、識別することに基づいて、第１のＴＴＩ及び第２のＴＴＩに関連付けられた送信を基地局１０５に通信するための変調テーブルを選択し得る。１３３０の動作は、本明細書で説明された方法に従って実行され得る。ある特定の例では、１３３０の動作の態様は、図４〜７を参照して説明された選択コンポーネントによって実行され得る。
【０１９９】
[0205]図１４は、本開示の態様による、変調テーブル決定及びＣＱＩ報告のための方法１４００を例示するフローチャートを示す。方法１４００の動作は、本明細書で説明されたＵＥ１１５又はそのコンポーネントによってインプリメントされ得る。例えば、方法１４００の動作は、図４〜７を参照して説明されたＵＥ通信マネージャによって実行され得る。いくつかの例では、ＵＥ１１５は、以下に説明される機能を実行するために、デバイスの機能的な要素を制御するためのコードのセットを実行し得る。加えて又は代替として、ＵＥ１１５は、専用ハードウェアを使用して、以下に説明される機能の態様を実行し得る。
【０２００】
[0206]１４０５において、ＵＥ１１５は、第１のＴＴＩと第１のＴＴＩより短い第２のＴＴＩとに関連付けられた少なくとも１つの変調次数についてのＵＥの能力を決定し得る。１４０５の動作は、本明細書で説明された方法に従って実行され得る。ある特定の例では、１４０５の動作の態様は、図４〜７を参照して説明された能力コンポーネントによって実行され得る。
【０２０１】
[0207]１４１０において、ＵＥ１１５は、ＵＥの能力を決定することに基づいて、ＵＥ能力メッセージを送信し得る。１４１０の動作は、本明細書で説明された方法に従って実行され得る。ある特定の例では、１４１０の動作の態様は、図４〜７を参照して説明された送信機によって実行され得る。
【０２０２】
[0208]１４１５において、ＵＥ１１５は、ＵＥ能力メッセージに少なくとも部分的に基づいた、パラメータとＭＣＳインデックスとを含むメッセージを受信し得る。いくつかの例では、パラメータは、上位レイヤパラメータであり得る。１４１５の動作は、本明細書で説明された方法に従って実行され得る。ある特定の例では、１４１５の動作の態様は、図４〜７を参照して説明された受信機によって実行され得る。
【０２０３】
[0209]１４２０において、ＵＥ１１５は、ＵＥ１１５に関連付けられたＣ−ＲＮＴＩを含むメッセージについて、ダウンリンク制御チャネルを監視し得る。１４２０の動作は、本明細書で説明された方法に従って実行され得る。ある特定の例では、１４２０の動作の態様は、図４〜７を参照して説明された選択コンポーネントによって実行され得る。
【０２０４】
[0210]１４２５において、ＵＥ１１５は、Ｃ−ＲＮＴＩを含むメッセージに基づいて、第１のＴＴＩ及び第２のＴＴＩに関連付けられた送信を基地局１０５に通信するための変調テーブルを選択し得る。１４２５の動作は、本明細書で説明された方法に従って実行され得る。ある特定の例では、１４２５の動作の態様は、図４〜７を参照して説明された選択コンポーネントによって実行され得る。
【０２０５】
[0211]図１５は、本開示の態様による、変調テーブル決定及びＣＱＩ報告のための方法１５００を例示するフローチャートを示す。方法１５００の動作は、本明細書で説明されたＵＥ１１５又はそのコンポーネントによってインプリメントされ得る。例えば、方法１５００の動作は、図４〜７を参照して説明されたＵＥ通信マネージャによって実行され得る。いくつかの例では、ＵＥ１１５は、以下に説明される機能を実行するために、デバイスの機能的な要素を制御するためのコードのセットを実行し得る。加えて又は代替として、ＵＥ１１５は、専用ハードウェアを使用して、以下に説明される機能の態様を実行し得る。
【０２０６】
[0212]１５０５において、ＵＥ１１５は、第１のＴＴＩと第１のＴＴＩより短い第２のＴＴＩとに関連付けられた少なくとも１つの変調次数についてのＵＥの能力を決定し得る。１５０５の動作は、本明細書で説明された方法に従って実行され得る。ある特定の例では、１５０５の動作の態様は、図４〜７を参照して説明された能力コンポーネントによって実行され得る。
【０２０７】
[0213]１５１０において、ＵＥ１１５は、ＵＥの能力を決定することに基づいて、ＵＥ能力メッセージを送信し得る。１５１０の動作は、本明細書で説明された方法に従って実行され得る。ある特定の例では、１５１０の動作の態様は、図４〜７を参照して説明された送信機によって実行され得る。
【０２０８】
[0214]１５１５において、ＵＥ１１５は、ＵＥ能力メッセージに基づいた、パラメータとＭＣＳインデックスとを含むメッセージを受信し得る。いくつかの例では、パラメータは、上位レイヤパラメータであり得る。１５１５の動作は、本明細書で説明された方法に従って実行され得る。ある特定の例では、１５１５の動作の態様は、図４〜７を参照して説明された受信機によって実行され得る。
【０２０９】
[0215]１５２０において、ＵＥ１１５は、メッセージを受信することに基づいて、第１のＴＴＩ及び第２のＴＴＩに関連付けられた送信を基地局１０５に通信するための変調テーブルを選択し得る。１５２０の動作は、本明細書で説明された方法に従って実行され得る。ある特定の例では、１５２０の動作の態様は、図４〜７を参照して説明された選択コンポーネントによって実行され得る。
【０２１０】
[0216]１５２５において、ＵＥ１１５は、ＭＣＳインデックスに基づいて、選択された変調テーブル中で変調次数を決定し得る。１５２５の動作は、本明細書で説明された方法に従って実行され得る。ある特定の例では、１５２５の動作の態様は、図４〜７を参照して説明された変調次数コンポーネントによって実行され得る。
【０２１１】
[0217]１５３０において、ＵＥ１１５は、ＣＱＩ報告構成に基づいて、ＣＱＩテーブルを選択し得る。１５３０の動作は、本明細書で説明された方法に従って実行され得る。ある特定の例では、１５３０の動作の態様は、図４〜７を参照して説明されたＣＱＩコンポーネントによって実行され得る。
【０２１２】
[0218]図１６は、本開示の態様による、変調テーブル決定及びＣＱＩ報告のための方法１６００を例示するフローチャートを示す。方法１６００の動作は、本明細書で説明された基地局１０５又はそのコンポーネントによってインプリメントされ得る。例えば、方法１６００の動作は、図８〜１０を参照して説明された基地局通信マネージャによって実行され得る。いくつかの例では、基地局１０５は、以下に説明される機能を実行するために、デバイスの機能的な要素を制御するためのコードのセットを実行し得る。加えて又は代替として、基地局１０５は、専用ハードウェアを使用して、以下に説明される機能の態様を実行し得る。
【０２１３】
[0219]１６０５において、基地局１０５は、第１のＴＴＩと第１のＴＴＩより短い第２のＴＴＩとに関連付けられた少なくとも１つの変調次数についてのＵＥ能力メッセージを受信し得る。１６０５の動作は、本明細書で説明された方法に従って実行され得る。ある特定の例では、１６０５の動作の態様は、図８〜１０を参照して説明された受信機によって実行され得る。
【０２１４】
[0220]１６１０において、基地局１０５は、ＵＥ能力メッセージに基づいて、変調テーブルに関連付けられたパラメータを構成し得る。いくつかの例では、パラメータは、上位レイヤパラメータであり得る。例えば、パラメータは、ＲＲＣ構成パラメータであり得る。１６１０の動作は、本明細書で説明された方法に従って実行され得る。ある特定の例では、１６１０の動作の態様は、図８〜１０を参照して説明された構成コンポーネントによって実行され得る。
【０２１５】
[0221]１６１５において、基地局１０５は、ＵＥ能力メッセージに基づいて、ＭＣＳインデックスを決定し得る。１６１５の動作は、本明細書で説明された方法に従って実行され得る。ある特定の例では、１６１５の動作の態様は、図８〜１０を参照して説明されたＭＣＳコンポーネントによって実行され得る。
【０２１６】
[0222]１６２０において、基地局１０５は、パラメータとＭＣＳインデックスとを含むメッセージを送信し得る。１６２０の動作は、本明細書で説明された方法に従って実行され得る。ある特定の例では、１６２０の動作の態様は、図８〜１０を参照して説明された送信機によって実行され得る。
【０２１７】
[0223]上述された方法は、可能なインプリメンテーションを説明しており、動作及びステップは、再配列又は別様に修正され得、他のインプリメンテーションが可能であることに留意されたい。更に、それら方法のうちの２つ以上からの態様が組み合わされ得る。
【０２１８】
[0224]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、及び他のシステムなどの、様々なワイヤレス通信システムのために使用され得る。ＣＤＭＡシステムは、ＣＤＭＡ２０００、ユニバーサル地上無線アクセス（ＵＴＲＡ）、等などの無線技術をインプリメントし得る。ＣＤＭＡ２０００は、ＩＳ−２０００、ＩＳ−９５、及びＩＳ−８５６規格をカバーする。ＩＳ−２０００リリースは一般に、ＣＤＭＡ２０００ １Ｘ、１Ｘ、等と呼ばれ得る。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、ワイドバンドＣＤＭＡ（ＷＣＤＭＡ（登録商標））及びＣＤＭＡの他の変形を含む。ＴＤＭＡシステムは、モバイル通信のためのグローバルシステム（ＧＳＭ（登録商標））などの無線技術をインプリメントし得る。
【０２１９】
[0225]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等などの無線技術をインプリメントし得る。ＵＴＲＡ及びＥ−ＵＴＲＡは、ユニバーサルモバイル電気通信システム（ＵＭＴＳ）の一部である。ＬＴＥ、ＬＴＥ−Ａ、及びＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、及びＧＳＭは、「第３世代パートナーシッププロジェクト」（３ＧＰＰ（登録商標））という名称の団体からの文書に記載されている。ＣＤＭＡ２０００及びＵＭＢは、「第３世代パートナーシッププロジェクト２」（３ＧＰＰ２）という名称の団体からの文書に記載されている。本明細書で説明された技法は、上述されたシステム及び無線技術並びに他のシステム及び無線技術のために使用され得る。ＬＴＥ、ＬＴＥ−Ａ、ＬＴＥ−Ａプロ、又はＮＲシステムの態様が、例を目的として説明され得、ＬＴＥ、ＬＴＥ−Ａ、ＬＴＥ−Ａプロ、又はＮＲ専門用語が、説明の大部分において使用され得るが、本明細書で説明された技法は、ＬＴＥ、ＬＴＥ−Ａ、ＬＴＥ−Ａプロ、又はＮＲアプリケーションを超えて適用可能である。
【０２２０】
[0226]マクロセルは一般に、比較的大きい地理的エリア（例えば、半径数キロメートル）をカバーし、ネットワークプロバイダのサービスに加入しているＵＥ１１５による無制限アクセスを可能にし得る。スモールセルは、マクロセルと比較して、より低電力の基地局１０５に関連付けられ得、スモールセルは、マクロセルと同じ又は異なる（例えば、ライセンス、アンライセンス、等）周波数帯域中で動作し得る。スモールセルは、様々な例に従って、ピコセル、フェムトセル、及びマイクロセルを含み得る。ピコセルは、例えば、小さい地理的エリアをカバーし得、ネットワークプロバイダのサービスに加入しているＵＥ１１５による無制限アクセスを可能にし得る。フェムトセルはまた、小さい地理的エリア（例えば、自宅）をカバーし得、フェムトセルとのアソシエーションを有するＵＥ１１５（例えば、限定加入者グループ（ＣＳＧ：closed subscriber group）中のＵＥ１１５、自宅内のユーザのためのＵＥ１１５、及び同様のもの）による制限付きアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、又はホームｅＮＢと呼ばれ得る。ｅＮＢは、１つ又は複数（例えば、２つ、３つ、４つ、及び同様の数）のセルをサポートし得、また、１つ又は複数のコンポーネントキャリアを使用して通信をサポートし得る。
【０２２１】
[0227]本明細書で説明されたシステム１００又はシステムは、同期動作又は非同期動作をサポートし得る。同期動作の場合、基地局１０５は、同様のフレームタイミングを有し得、異なる基地局１０５からの送信は、時間的にほぼ揃えられ得る。非同期動作の場合、基地局１０５は、異なるフレームタイミングを有し得、異なる基地局１０５からの送信は、時間的に揃えられないことがある。本明細書で説明された技法は、同期動作又は非同期動作のいずれかのために使用され得る。
【０２２２】
[0228]本明細書で説明された情報及び信号は、多様な異なる技術及び技法のうちの任意のものを使用して表わされ得る。例えば、上記の説明全体を通じて参照され得るデータ、命令、コマンド、情報、信号、ビット、シンボル、及びチップは、電圧、電流、電磁波、磁場若しくは磁性粒子、光場若しくは光粒子、又はそれらの任意の組み合わせによって表され得る。
【０２２３】
[0229]本明細書での開示に関連して説明された様々な例示的なブロック及びモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）若しくは他のプログラマブルロジックデバイス（ＰＬＤ）、ディスクリートゲート若しくはトランジスタロジック、ディスクリートハードウェアコンポーネント、又は本明細書で説明された機能を実行するように設計されたそれらの任意の組み合わせを用いてインプリメント又は実行され得る。汎用プロセッサは、マイクロプロセッサであり得るが、代替では、プロセッサは、任意の従来のプロセッサ、コントローラ、マイクロコントローラ、又はステートマシンであり得る。プロセッサはまた、コンピューティングデバイスの組み合わせ（例えば、ＤＳＰとマイクロプロセッサとの組み合わせ、複数のマイクロプロセッサ、ＤＳＰコアと連携した１つ又は複数のマイクロプロセッサ、又は任意の他のそのような構成）としてインプリメントされ得る。
【０２２４】
[0230]本明細書で説明された機能は、ハードウェア、プロセッサによって実行されるソフトウェア、ファームウェア、又はそれらの任意の組み合わせにおいてインプリメントされ得る。プロセッサによって実行されるソフトウェアにおいてインプリメントされる場合、それら機能は、１つ又は複数の命令又はコードとして、コンピュータ可読媒体上に記憶され得るか、又はコンピュータ可読媒体を通して送信され得る。他の例及びインプリメンテーションは、本開示及び添付された特許請求の範囲内にある。例えば、ソフトウェアの性質に起因して、上述された機能は、プロセッサによって実行されるソフトウェア、ハードウェア、ファームウェア、ハード配線、又はこれらのうちの任意のものの組み合わせを使用してインプリメントされることができる。機能をインプリメントする特徴はまた、機能の一部分が異なる物理的ロケーションにおいてインプリメントされるように分散されることを含め、様々な位置において物理的にロケートされ得る。
【０２２５】
[0231]コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用又は専用コンピュータによってアクセスされることができる任意の利用可能な媒体であり得る。限定ではなく例として、非一時的コンピュータ可読媒体は、ランダムアクセスメモリ（ＲＡＭ）、読取専用メモリ（ＲＯＭ）、電気的消去可能プログラマブル読取専用メモリ（ＥＥＰＲＯＭ（登録商標））、フラッシュメモリ、コンパクトディスク（ＣＤ）ＲＯＭ若しくは他の光ディスク記憶装置、磁気ディスク記憶装置若しくは他の磁気記憶デバイス、又はデータ構造若しくは命令の形態で所望されるプログラムコード手段を記憶若しくは搬送するために使用されることができ、且つ汎用若しくは専用コンピュータ、又は汎用若しくは専用プロセッサによってアクセスされることができる任意の他の非一時的媒体を備え得る。また、任意の接続は、厳密にはコンピュータ可読媒体と称される。例えば、ソフトウェアが、同軸ケーブル、光ファイバケーブル、ツイストペア、デジタル加入者回線（ＤＳＬ）、又は赤外線、無線、及びマイクロ波などのワイヤレス技術を使用して、ウェブサイト、サーバ、又は他のリモートソースから送信される場合、同軸ケーブル、光ファイバケーブル、ツイストペア、ＤＳＬ、又は赤外線、無線、及びマイクロ波などのワイヤレス技術は、媒体の定義中に含まれる。ディスク（disk）及びディスク（disc）は、本明細書で使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）、及びＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０２２６】
[0232]、特許請求の範囲を含め、本明細書に使用される場合、項目のリスト（例えば、「〜のうちの少なくとも１つ（at least one of）」又は「〜のうちの１つ又は複数（one or more of）」などのフレーズで始まる項目のリスト）中で使用される「又は／或いは／若しくは（ｏｒ）」は、例えば、Ａ、Ｂ、又はＣのうちの少なくとも１つのリストが、Ａ、Ｂ、Ｃ、ＡとＢ、ＡとＣ、ＢとＣ、又はＡとＢとＣ（即ち、Ａ、Ｂ、及びＣ）を意味するような、包含的なリストを示す。また、本明細書で使用される場合、「〜に基づいて（based on）」というフレーズは、条件の閉集合への参照として解釈されるべきではない。例えば、「条件Ａに基づいて」と記載された例証的なステップは、本開示の範囲から逸脱することなしに、条件Ａと条件Ｂとの両方に基づき得る。言い換えれば、本明細書で使用される場合、「〜に基づいて」というフレーズは、「〜に少なくとも部分的に基づいて（based at least in part on）」というフレーズと同じように解釈されるべきである。
【０２２７】
[0233]添付された図面では、同様のコンポーネント又は特徴は、同じ参照ラベルを有し得る。更に、同じタイプの様々なコンポーネントは、参照ラベルに、ダッシュと、同様のコンポーネント間を区別する第２のラベルとを後続させることによって区別され得る。本明細書中で第１の参照ラベルだけが使用される場合、その説明は、第２の参照ラベル、又は他の後続の参照ラベルに関係なく同じ第１の参照ラベルを有する同様のコンポーネントのうちのどの１つにも適用可能である。
【０２２８】
[0234]添付された図面に関連して本明細書で記載された説明は、実例的な構成を説明しており、インプリメントされ得る又は特許請求の範囲内にある全ての例を表してはいない。本明細書で使用される「例証的（exemplary）」という用語は、「例、事例、又は例示としての役割を果たすこと」を意味し、「好ましい」又は「他の例より有利である」ということを意味しない。詳細な説明は、説明された技法の理解を提供することを目的として特定の詳細を含む。これらの技法は、しかしながら、これらの特定の詳細なしに実施され得る。いくつかの事例では、良く知られている構造及びデバイスは、説明された例の概念を曖昧にすることを避けるために、ブロック図形式で示される。
【０２２９】
[0235]本明細書での説明は、当業者が本開示を製造又は使用することを可能にするために提供される。本開示に対する様々な修正は、当業者にとって容易に明らかとなり、本明細書で定義された包括的な原理は、本開示の範囲から逸脱することなしに他の変形に適用され得る。このことから、本開示は、本明細書で説明された例及び設計に限定されず、本明細書で開示された原理及び新規の特徴と一致する最も広い範囲が付与されるべきである。
【図１】
2021512548.tif 000003
【図２】
2021512548.tif 000004
【図３】
2021512548.tif 000005
【図４】
2021512548.tif 000006
【図５】
2021512548.tif 000007
【図６】
2021512548.tif 000008
【図７】
2021512548.tif 000009
【図８】
2021512548.tif 000010
【図９】
2021512548.tif 000011
【図１０】
2021512548.tif 000012
【図１１】
2021512548.tif 000013
【図１２】
2021512548.tif 000014
【図１３】
2021512548.tif 000015
【図１４】
2021512548.tif 000016
【図１５】
2021512548.tif 000017
【図１６】
2021512548.tif 000018
【国際調査報告】
2021512548.tif 000019
2021512548.tif 000020
2021512548.tif 000021